(57)【特許請求の範囲】
【請求項１】
ユーザ機器（ＵＥ）のワイヤレス通信の方法であって、
多地点協調（ＣｏＭＰ）送信をサポートする送信モードを使用した送信を受信するための構成を受信することと、
１つの基地局から少なくとも１つの送信されたリソースブロックを受信することと、ここにおいて、前記少なくとも１つのリソースブロックが、基準信号（ＲＳ）のリソース要素（ＲＥ）の第１のセットを備える、
他の基地局から少なくとも１つの他の送信されたリソースブロックを受信することと、ここにおいて、前記少なくとも１つの他のリソースブロックが、ＲＳのＲＥの第２のセットを備える、
ＲＳのＲＥの前記第２のセットが利用可能であるかどうかを判断することと、ここにおいて、前記判断することは、前記１つの基地局から、ＲＳのＲＥの前記第２のセットが利用可能であるか否かを示す情報を受信することを備える、
ＲＳのＲＥの前記第１のセットに基づいて、および利用可能と判断された場合、ＲＳのＲＥの前記第２のセットにさらに基づいて、前記受信した少なくとも１つのリソースブロックを処理して時間追跡を実行することと、ここにおいて、ＲＳのＲＥの前記第１のセットが、ＵＥ固有ＲＳ（ＵＥ−ＲＳ）のＲＥを備え、ＲＳのＲＥの前記第２のセットが、チャネル状態情報基準信号（ＣＳＩ−ＲＳ）のＲＥを備え、前記ＵＥ−ＲＳのＲＥまたは前記ＣＳＩ−ＲＳのＲＥのうちの少なくとも１つは、前記時間追跡を実行するために用いられる、
前記１つの基地局から近接情報を受信することと、
を備え、ここにおいて、前記近接情報がＲＳのＲＥの前記第１のセットとＲＳのＲＥの前記第２のセットとの伝搬時間差を備え、前記ＵＥは、前記近接情報に基づいて前記時間追跡を実行する、方法。
【請求項２】
ＵＥ−ＲＳのＲＥの前記第１のセットは、第３のセットと第４のセットとを備え、ＵＥ−ＲＳのＲＥの前記第３のセットとＵＥ−ＲＳのＲＥの前記第４のセットとは、同じプリコーディングを有する、請求項１に記載の方法。
【請求項３】
基地局のワイヤレス通信の方法であって、
多地点協調（ＣｏＭＰ）送信をサポートする送信モードを使用した送信を受信するようにユーザ機器（ＵＥ）を構成することと、
前記ＵＥに少なくとも１つのリソースブロックを送信することと、ここにおいて、前記少なくとも１つのリソースブロックが、基準信号（ＲＳ）のリソース要素（ＲＥ）の第１のセットを備え、ＲＳのＲＥの前記第１のセットが、ＵＥ固有ＲＳ（ＵＥ−ＲＳ）のＲＥを備え、を備える、
ＲＳのＲＥの第２のセットが前記ＵＥにとって利用可能であるか否かを示す情報を前記ＵＥに送信することと、
前記ＵＥに近接情報を送信することと、
を備え、ここにおいて、前記近接情報がＲＳのＲＥの前記第１のセットと他の基地局から送信されたチャネル状態情報基準信号（ＣＳＩ−ＲＳ）のＲＥであるＲＳのＲＥの前記第２のセットとの伝搬時間差を備える、方法。
【請求項４】
ＵＥ−ＲＳのＲＥの前記第１のセットは、第３のセットと第４のセットとを備え、ＵＥ−ＲＳのＲＥの前記第３のセットとＵＥ−ＲＳのＲＥの前記第４のセットとは、同じプリコーディングを有する、請求項３に記載の方法。
【請求項５】
ユーザ機器（ＵＥ）であって、
メモリと、
前記メモリに結合される少なくとも１つのプロセッサと、
を備え、前記少なくとも１つのプロセッサは、
多地点協調（ＣｏＭＰ）送信をサポートする送信モードを使用した送信を受信するための構成を受信するように構成され、
１つの基地局から少なくとも１つの送信されたリソースブロックを受信するように構成され、ここにおいて、前記少なくとも１つのリソースブロックが、基準信号（ＲＳ）のリソース要素（ＲＥ）の第１のセットを備える、
他の基地局から少なくとも１つの他の送信されたリソースブロックを受信するように構成され、ここにおいて、前記少なくとも１つの他のリソースブロックが、ＲＳのＲＥの第２のセットを備える、
ＲＳのＲＥの前記第２のセットが利用可能であるかどうかを判断するように構成され、ここにおいて、判断するように構成された前記少なくとも１つのプロセッサは、前記１つの基地局から、ＲＳのＲＥの前記第２のセットが利用可能であるか否かを示す情報を受信するようにさらに構成され、
ＲＳのＲＥの前記第１のセットに基づいて、および利用可能と判断された場合、ＲＳのＲＥの前記第２のセットにさらに基づいて、前記受信した少なくとも１つのリソースブロックを処理して時間追跡を実行するように構成され、ここにおいて、ＲＳのＲＥの前記第１のセットが、復調のためのＵＥ固有ＲＳ（ＵＥ−ＲＳ）のＲＥを備え、ＲＳのＲＥの前記第２のセットが、チャネル状態情報基準信号（ＣＳＩ−ＲＳ）のＲＥを備え、前記ＵＥ−ＲＳのＲＥまたは前記ＣＳＩ−ＲＳのＲＥのうちの少なくとも１つは、前記時間追跡を実行するために用いられる、
前記１つの基地局から近接情報を受信するように構成され、
ここにおいて、前記近接情報がＲＳのＲＥの前記第１のセットとＲＳのＲＥの前記第２のセットとの伝搬時間差を備え、前記ＵＥは、前記近接情報に基づいて前記時間追跡を実行する、ＵＥ。
【請求項６】
ＵＥ−ＲＳのＲＥの前記第１のセットは、第３のセットと第４のセットとを備え、ＵＥ−ＲＳのＲＥの前記第３のセットとＵＥ−ＲＳのＲＥの前記第４のセットとは、同じプリコーディングを有する、請求項５に記載のＵＥ。
【請求項７】
基地局であって、
メモリと、
前記メモリに結合される少なくとも１つのプロセッサと、
を備え、前記少なくとも１つのプロセッサは、
多地点協調（ＣｏＭＰ）送信をサポートする送信モードを使用した送信を受信するようにユーザ機器（ＵＥ）を構成することと、
前記ＵＥに少なくとも１つのリソースブロックを送信することと、ここにおいて、前記少なくとも１つのリソースブロックが、基準信号（ＲＳ）のリソース要素（ＲＥ）の第１のセットを備え、ＲＳのＲＥの前記第１のセットが、ＵＥ固有ＲＳ（ＵＥ−ＲＳ）のＲＥを備え、
ＲＳのＲＥの第２のセットが前記ＵＥにとって利用可能であることを示す情報を前記ＵＥに送信することと、
前記ＵＥに近接情報を送信することと、
を行うように構成され、ここにおいて、前記近接情報がＲＳのＲＥの前記第１のセットと他の基地局から送信されたチャネル状態情報基準信号（ＣＳＩ−ＲＳ）のＲＥであるＲＳのＲＥの前記第２のセットとの伝搬時間差を備える、基地局。
【請求項８】
ＵＥ−ＲＳのＲＥの前記第１のセットは、第３のセットと第４のセットとを備え、ＵＥ−ＲＳのＲＥの前記第３のセットとＵＥ−ＲＳのＲＥの前記第４のセットとは、同じプリコーディングを有する、請求項７に記載の基地局。
【発明の詳細な説明】
【技術分野】
【０００１】
関連出願の相互参照
本出願は、それらの全体が参照により本明細書に明確に組み込まれる、２０１１年１２月２２日に出願された「IMPROVED REFERENCE SIGNALS DESIGN FOR TIME TRACKING IN LTE-A」と題する米国仮出願第６１／５７９，４２８号、２０１２年２月１７日に出願された「IMPROVED REFERENCE SIGNALS DESIGN FOR TIME TRACKING IN LTE-A」と題する米国仮出願第６１／６００，１９０号、および２０１２年４月１７日に出願された「IMPROVED REFERENCE SIGNALS DESIGN FOR TIME TRACKING IN LTE-A」と題する米国仮出願第６１／６２５，５７７号、および２０１２年１２月１３日に出願されたIMPROVED REFERENCE SIGNALS DESIGN FOR TIME TRACKING IN LTE-Aと題する米国特許出願第１３／７１４，１８１号の利益を主張する。
【０００２】
本開示は、一般に通信システムに関し、より詳細には、ロングタームエボリューション（ＬＴＥ（登録商標）：Long Term Evolution）アドバンスト（ＬＴＥ−Ａ：LTE Advanced）における時間追跡のための改善された基準信号設計のための方法およびその基準信号設計を用いる装置に関する。
【背景技術】
【０００３】
ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
これらの多元接続技術は、異なるワイヤレスデバイスが都市、国家、地域、さらには地球規模で通信することを可能にする共通プロトコルを与えるために様々な電気通信規格において採用されている。新生の電気通信規格の一例はＬＴＥである。ＬＴＥは、第３世代パートナーシッププロジェクト（３ＧＰＰ（登録商標）：Third Generation Partnership Project）によって公表されたユニバーサルモバイル電気通信システム（ＵＭＴＳ：Universal Mobile Telecommunications System）モバイル規格の拡張のセットである。ＬＴＥは、スペクトル効率を改善することによってモバイルブロードバンドインターネットアクセスをより良くサポートし、コストを下げ、サービスを改善し、新しいスペクトルを利用し、また、ダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合するように設計されている。しかしながら、モバイルブロードバンドアクセスに対する需要が増大し続けるにつれて、ＬＴＥ技術のさらなる改善が必要である。好ましくは、これらの改善は、他の多元接続技術と、これらの技術を採用する電気通信規格とに適用可能であるべきである。
【発明の概要】
【０００５】
現在の通信システムにおける時間追跡は、旧来、共通基準信号（ＣＲＳ：common reference signal）に基づき得る。しかしながら、いくつかの通信システムでは、ＣＲＳベースの時間追跡は、実装することが不可能または不適切であり得る。したがって、改善された基準信号設計のための方法およびその基準信号設計を用いる装置を以下で提供する。本方法／装置は、ユーザ機器（ＵＥ）が、改善された時間追跡のために、受信したユーザ機器固有基準信号（ＵＥ−ＲＳ：user equipment specific reference signal）および／またはチャネル状態情報基準信号（ＣＳＩ−ＲＳ：channel state information reference signal）を利用することを可能にする。
【０００６】
本開示の一態様では、方法、コンピュータプログラム製品、および装置が提供される。発展型ノードＢ（ｅＮＢ：evolved Node B）であり得る本装置は、ダウンリンク割当てにおいてＵＥに割り振られ得るリソースブロックの数を２よりも大きいかまたはそれに等しくなるように制限する。さらに、本装置は、ダウンリンク割当てに対応するダウンリンク送信をＵＥに送信する。
【０００７】
本開示の一態様では、方法、コンピュータプログラム製品、および装置が提供される。ＵＥであり得る本装置は、送信中の複数のリソースブロックを受信する。複数のリソースブロックはプリコーディングリソースブロックグループ（ＰＲＧ：precoding resource block group）を含む。本装置は、ＰＲＧ中のリソースブロックの送信のための仮定された同じプリコーディングに基づいてＵＥ−ＲＳを復号する。本装置は、ＰＲＧ中の復号されたＵＥ−ＲＳに基づいて時間追跡を実行する。
【０００８】
本開示の一態様では、方法、コンピュータプログラム製品、および装置が提供される。ＵＥであり得る本装置は、送信中の少なくとも１つのリソースブロックを受信する。少なくとも１つのリソースブロックの各々はＵＥ−ＲＳの第１のセットを含む。本装置は、少なくとも１つのリソースブロックのリソースブロックがＵＥ−ＲＳの第２のセットを含むかどうかを判断する。本装置は、ＵＥ−ＲＳの第１のセットに基づいて、およびリソースブロックがＵＥ−ＲＳの第２のセットを含むと判断されたとき、ＵＥ−ＲＳの第２のセットに基づいて、時間追跡を実行する。
【０００９】
本開示の一態様では、方法、コンピュータプログラム製品、および装置が提供される。ｅＮＢであり得る本装置は、ランク１送信またはランク２送信のうちの１つを受信するようにＵＥを構成する。本装置はＵＥにリソースブロックを送信する。リソースブロックはＵＥ−ＲＳの第１のセットとＵＥ−ＲＳの第２のセットとを含む。ＵＥ−ＲＳの第１のセットとＵＥ−ＲＳの第２のセットとのうちの一方はＵＥ用であり、ＵＥ−ＲＳの第１のセットとＵＥ−ＲＳの第２のセットとのうちの他方は別のＵＥ用であるかまたは他のいかなるＵＥ用でもない。
【００１０】
本開示の一態様では、方法、コンピュータプログラム製品、および装置が提供される。ＵＥであり得る本装置は、少なくとも１つのリソースブロックの各リソースブロック中に第１の数のＣＳＩ−ＲＳポートがある、少なくとも１つのリソースブロックを受信するための構成を受信する。本装置は、送信中の少なくとも１つのリソースブロックを受信する。本装置は、少なくとも１つのリソースブロックのリソースブロックが、第１の数のＣＳＩ−ＲＳポートよりも多い第２の数のＣＳＩ−ＲＳポートを含むと仮定する。本装置は、仮定した第２の数のＣＳＩ−ＲＳポートに対応するリソース要素中の信号に基づいて時間追跡を実行する。
【００１１】
本開示の一態様では、方法、コンピュータプログラム製品、および装置が提供される。ｅＮＢであり得る本装置は、第１の数のＣＳＩ−ＲＳポートを受信するようにＵＥを構成する。本装置は、第１の数のＣＳＩ−ＲＳポートよりも多い第２の数のＣＳＩ−ＲＳポートを含むリソースブロックをＵＥに送信する。第２の数のＣＳＩ−ＲＳポートは、ＵＥによる改善された時間追跡を可能にする。
【００１２】
本開示の一態様では、方法、コンピュータプログラム製品、および装置が提供される。ＵＥであり得る本装置は、少なくとも１つのリソースブロック中のＵＥ−ＲＳとＣＳＩ−ＲＳとを受信する。ＵＥは、受信したＵＥ−ＲＳとＣＳＩ−ＲＳとに基づいて時間追跡を実行する。
【００１３】
本開示の一態様では、方法、コンピュータプログラム製品、および装置が提供される。ＵＥであり得る本装置は、送信中の少なくとも１つのリソースブロックを受信し、少なくとも１つのリソースブロックの各々は、第１のアンテナポートに関連するＵＥ基準信号（ＵＥ−ＲＳ）の第１のグループを備える。本装置は、少なくとも１つのリソースブロックが１つまたは複数の他のアンテナポートに関連するＵＥ−ＲＳの第２のグループを備えるかどうかを判断し、ＵＥ−ＲＳの第１のグループに基づいて、および少なくとも１つのリソースブロックがＵＥ−ＲＳの第２のグループを備えると判断されたとき、ＵＥ−ＲＳの第２のグループにさらに基づいて、受信した少なくとも１つのリソースブロックを処理する。
【００１４】
本開示の一態様では、方法、コンピュータプログラム製品、および装置が提供される。ＵＥであり得る本装置は、送信中の少なくとも１つのリソースブロックを受信し、少なくとも１つのリソースブロックは、ＵＥに固有の、基準信号（ＲＳ）の第１のセットを備え、本装置は、ＵＥに固有の、ＲＳの第２のセットが、送信中で利用可能であるかどうかを判断し、ＲＳの第１のセットに基づいて、および利用可能と判断された場合、ＲＳの第２のセットにさらに基づいて、受信した少なくとも１つのリソースブロックを処理する。
【００１５】
本開示の一態様では、方法、コンピュータプログラム製品、および装置が提供される。ｅＮＢであり得る本装置は、送信を受信するようにユーザ機器（ＵＥ）を構成し、送信中でＵＥに少なくとも１つリソースブロックを送信し、少なくとも１つのリソースブロックは、ＵＥに固有の、基準信号（ＲＳ）の第１のセットを備え、本装置は、送信中にＲＳの第２のセットを与える。
【図面の簡単な説明】
【００１６】
【図１】ネットワークアーキテクチャの一例を示す図。
【図２】アクセスネットワークの一例を示す図。
【図３】ＬＴＥにおけるＤＬフレーム構造の一例を示す図。
【図４】ＬＴＥにおけるＵＬフレーム構造の一例を示す図。
【図５】ユーザプレーンおよび制御プレーンのための無線プロトコルアーキテクチャの一例を示す図。
【図６】アクセスネットワーク中の発展型ノードＢおよびユーザ機器の一例を示す図。
【図７】様々なタイプのサブフレーム内のＵＥ−ＲＳのロケーションを示し、ＵＥ−ＲＳベースの時間追跡のための例示的な方法について説明するための図。
【図８】リソースブロックのセット内の基準信号構成の図であって、ＣＳＩ−ＲＳベースの時間追跡のための例示的な方法について説明するための図。
【図９】例示的な方法を示すための図。
【図１０】サブフレーム中のアンテナポート７および８を介して受信されたＵＥ−ＲＳ信号の位置を示す図。
【図１１】ワイヤレス通信の方法のフローチャート。
【図１２】ワイヤレス通信の方法のフローチャート。
【図１３】ワイヤレス通信の方法のフローチャート。
【図１４】ワイヤレス通信の方法のフローチャート。
【図１５】ワイヤレス通信の方法のフローチャート。
【図１６】ワイヤレス通信の方法のフローチャート。
【図１７】ワイヤレス通信の方法のフローチャート。
【図１８】ワイヤレス通信の方法のフローチャート。
【図１９】ワイヤレス通信の方法のフローチャート。
【図２０】例示的な装置中の異なるモジュール／手段／構成要素間のデータフローを示す概念データフロー図。
【図２１】例示的な装置中の異なるモジュール／手段／構成要素間のデータフローを示す概念データフロー図。
【図２２】処理システムを採用する装置のためのハードウェア実装形態の一例を示す図。
【図２３】処理システムを採用する装置のためのハードウェア実装形態の一例を示す図。
【発明を実施するための形態】
【００１７】
添付の図面に関して以下に示す発明を実施するための形態は、様々な構成を説明するものであり、本明細書で説明する概念が実施され得る唯一の構成を表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【００１８】
次に、様々な装置および方法に関して電気通信システムのいくつかの態様を提示する。これらの装置および方法について、以下の詳細な説明において説明し、（「要素」と総称される）様々なブロック、モジュール、構成要素、回路、ステップ、プロセス、アルゴリズムなどによって添付の図面に示す。これらの要素は、電子ハードウェア、コンピュータソフトウェア、またはそれらの任意の組合せを使用して実装され得る。そのような要素をハードウェアとして実装するか、ソフトウェアとして実装するかは、特定の適用例および全体的なシステムに課された設計制約に依存する。
【００１９】
例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実行するように構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００２０】
したがって、１つまたは複数の例示的な実施形態では、説明する機能は、ハードウェア、ソフトウェア、ファームウェア、またはそれらの任意の組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、クラウド／ネットワークストレージ、あるいは命令またはデータ構造の形態の所望のプログラムコードを搬送または記憶するために使用され得、コンピュータによってアクセスされ得る、任意の他の媒体を備えることができる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含まれるべきである。
【００２１】
図１は、ＬＴＥネットワークアーキテクチャ１００を示す図である。ＬＴＥネットワークアーキテクチャ１００は発展型パケットシステム（ＥＰＳ：Evolved Packet System）１００と呼ばれることがある。ＥＰＳ１００は、１つまたは複数のユーザ機器（ＵＥ）１０２と、発展型ＵＭＴＳ地上波無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、ホーム加入者サーバ（ＨＳＳ：Home Subscriber Server）１２０と、事業者のＩＰサービス１２２とを含み得る。ＥＰＳは他のアクセスネットワークと相互接続することができるが、簡単のために、それらのエンティティ／インターフェースは図示していない。図示のように、ＥＰＳはパケット交換サービスを提供するが、当業者なら容易に諒解するように、本開示全体にわたって提示する様々な概念は、回線交換サービスを提供するネットワークに拡張され得る。
【００２２】
Ｅ−ＵＴＲＡＮは、発展型ノードＢ（ｅＮＢ）１０６と他のｅＮＢ１０８とを含む。ｅＮＢ１０６は、ＵＥ１０２に対してユーザプレーンプロトコル終端と制御プレーンプロトコル終端とを与える。ｅＮＢ１０６は、Ｘ２インターフェース（たとえば、バックホール）を介して他のｅＮＢ１０８に接続され得る。ｅＮＢ１０６は、基地局、送受信基地局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることもある。ｅＮＢ１０６は、ＵＥ１０２にＥＰＣ１１０へのアクセスポイントを与える。ＵＥ１０２の例としては、セルラーフォン、スマートフォン、セッション開始プロトコル（ＳＩＰ：session initiation protocol）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００２３】
ｅＮＢ１０６はＳ１インターフェースによってＥＰＣ１１０に接続される。ＥＰＣ１１０は、モビリティ管理エンティティ（ＭＭＥ：Mobility Management Entity）１１２と、他のＭＭＥ１１４と、サービングゲートウェイ１１６と、パケットデータネットワーク（ＰＤＮ：Packet Data Network）ゲートウェイ１１８とを含む。ＭＭＥ１１２は、ＵＥ１０２とＥＰＣ１１０との間のシグナリングを処理する制御ノードである。概して、ＭＭＥ１１２はベアラおよび接続管理を行う。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８はＵＥのＩＰアドレス割当てならびに他の機能を与える。ＰＤＮゲートウェイ１１８は事業者のＩＰサービス１２２に接続される。事業者のＩＰサービス１２２は、インターネットと、イントラネットと、ＩＰマルチメディアサブシステム（ＩＭＳ：IP Multimedia Subsystem）と、ＰＳストリーミングサービス（ＰＳＳ：PS Streaming Service）とを含み得る。
【００２４】
図２は、ＬＴＥネットワークアーキテクチャにおけるアクセスネットワーク２００の一例を示す図である。この例では、アクセスネットワーク２００は、いくつかのセルラー領域（セル）２０２に分割される。１つまたは複数のより低い電力クラスのｅＮＢ２０８は、セル２０２のうちの１つまたは複数と重複するセルラー領域２１０を有し得る。より低い電力クラスのｅＮＢ２０８は、リモートラジオヘッド（ＲＲＨ：remote radio head）と呼ばれることがある。より低い電力クラスのｅＮＢ２０８は、フェムトセル（たとえば、ホームｅＮＢ（ＨｅＮＢ））、ピコセル、またはマイクロセルであり得る。マクロｅＮＢ２０４は各々、それぞれのセル２０２に割り当てられ、セル２０２中のすべてのＵＥ２０６にＥＰＣ１１０へのアクセスポイントを与えるように構成される。アクセスネットワーク２００のこの例には集中コントローラはないが、代替構成では集中コントローラが使用され得る。ｅＮＢ２０４は、無線ベアラ制御、承認制御、モビリティ制御、スケジューリング、セキュリティ、およびサービングゲートウェイ１１６への接続性を含む、すべての無線関係機能を担当する。
【００２５】
アクセスネットワーク２００によって採用される変調および多元接続方式は、展開されている特定の電気通信規格に応じて異なり得る。ＬＴＥ適用例では、周波数分割複信（ＦＤＤ：frequency division duplexing）と時分割複信（ＴＤＤ：time division duplexing）の両方をサポートするために、ＯＦＤＭがＤＬ上で使用され、ＳＣ−ＦＤＭＡがＵＬ上で使用される。当業者なら以下の詳細な説明から容易に諒解するように、本明細書で提示する様々な概念は、ＬＴＥ適用例に好適である。ただし、これらの概念は、他の変調および多元接続技法を採用する他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ：Ultra Mobile Broadband）に拡張され得る。ＥＶ−ＤＯおよびＵＭＢは、ＣＤＭＡ２０００規格ファミリーの一部として第３世代パートナーシッププロジェクト２（３ＧＰＰ２：3rd Generation Partnership Project 2）によって公表されたエアインターフェース規格であり、ＣＤＭＡを利用して移動局にブロードバンドインターネットアクセスを提供する。これらの概念はまた、広帯域ＣＤＭＡ（Ｗ−ＣＤＭＡ（登録商標））とＴＤ−ＳＣＤＭＡなどのＣＤＭＡの他の変形例とを採用するユニバーサル地上波無線アクセス（ＵＴＲＡ：Universal Terrestrial Radio Access）、ＴＤＭＡを採用するモバイル通信用グローバルシステム（ＧＳＭ（登録商標）：Global System for Mobile Communications）、ならびに、ＯＦＤＭＡを採用する、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは、３ＧＰＰ団体からの文書に記載されている。ＣＤＭＡ２０００およびＵＭＢは、３ＧＰＰ２団体からの文書に記載されている。採用される実際のワイヤレス通信規格および多元接続技術は、特定の適用例およびシステムに課された全体的な設計制約に依存することになる。
【００２６】
ｅＮＢ２０４は、ＭＩＭＯ技術をサポートする複数のアンテナを有し得る。ＭＩＭＯ技術の使用により、ｅＮＢ２０４は、空間多重化、ビームフォーミング、および送信ダイバーシティをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコードし（すなわち、振幅および位相のスケーリングを適用し）、次いでＤＬ上で複数の送信アンテナを通して空間的にプリコードされた各ストリームを送信することによって達成される。空間的にプリコーディングされたデータストリームは、異なる空間シグナチャとともに（１つまたは複数の）ＵＥ２０６に到着し、これにより、（１つまたは複数の）ＵＥ２０６の各々がそのＵＥ２０６に宛てられた１つまたは複数のデータストリームを復元することが可能になる。ＵＬ上で、各ＵＥ２０６は、空間的にプリコードされたデータストリームを送信し、これにより、ｅＮＢ２０４は、空間的にプリコードされた各データストリームのソースを識別することが可能になる。
【００２７】
空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを通して送信するためのデータを空間的にプリコーディングすることによって達成され得る。セルのエッジにおいて良好なカバレージを達成するために、送信ダイバーシティと組み合わせてシングルストリームビームフォーミング送信が使用され得る。
【００２８】
以下の詳細な説明では、アクセスネットワークの様々な態様について、ＤＬ上でＯＦＤＭをサポートするＭＩＭＯシステムに関して説明する。ＯＦＤＭは、ＯＦＤＭシンボル内のいくつかのサブキャリアを介してデータを変調するスペクトル拡散技法である。サブキャリアは正確な周波数で離間する。離間は、受信機がサブキャリアからデータを復元することを可能にする「直交性（orthogonality）」を与える。時間領域では、ＯＦＤＭシンボル間干渉をなくすために、ガードインターバル（たとえば、サイクリックプレフィックス）が各ＯＦＤＭシンボルに追加され得る。ＵＬは、高いピーク対平均電力比（ＰＡＰＲ：peak-to-average power ratio）を補償するために、ＳＣ−ＦＤＭＡをＤＦＴ拡散ＯＦＤＭ信号の形態で使用し得る。
【００２９】
図３は、ＬＴＥにおけるＤＬフレーム構造の一例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、リソースブロックは、周波数領域中に１２個の連続サブキャリアを含んでおり、各ＯＦＤＭシンボル中のノーマルサイクリックプレフィックスについて、時間領域中に７個の連続ＯＦＤＭシンボル、または８４個のリソース要素を含んでいる。拡張サイクリックプレフィックスについて、リソースブロックは、時間領域中に６個の連続ＯＦＤＭシンボルを含んでおり、７２個のリソース要素を有する。Ｒ３０２、３０４として示されるリソース要素のいくつかはＤＬ基準信号（ＤＬ−ＲＳ：DL reference signal）を含む。ＤＬ−ＲＳは、（共通ＲＳと呼ばれることもある）セル固有ＲＳ（ＣＲＳ：Cell-specific RS）３０２と、（復調基準信号（ＤＭ−ＲＳ： demodulation reference signal）としても知られる）ＵＥ固有ＲＳ（ＵＥ−ＲＳ）３０４とを含む。ＵＥ−ＲＳ３０４は、対応する物理ＤＬ共有チャネル（ＰＤＳＣＨ：physical DL shared channel）がマッピングされるリソースブロック上でのみ送信される。各リソース要素によって搬送されるビット数は変調方式に依存する。したがって、ＵＥが受信するリソースブロックが多いほど、また変調方式が高いほど、ＵＥのデータレートは高くなる。
【００３０】
図４は、ＬＴＥにおけるＵＬフレーム構造の一例を示す図４００である。ＵＬのための利用可能なリソースブロックは、データセクションと制御セクションとに区分され得る。制御セクションは、システム帯域幅の２つのエッジにおいて形成され得、構成可能なサイズを有し得る。制御セクション中のリソースブロックは、制御情報を送信するためにＵＥに割り当てられ得る。データセクションは、制御セクション中に含まれないすべてのリソースブロックを含み得る。ＵＬフレーム構造は、データセクション中の連続するサブキャリアのすべてを単一のＵＥに割り当てることを可能にし得る連続サブキャリアを含むデータセクションを生じる。
【００３１】
ＵＥには、ｅＮＢに制御情報を送信するために、制御セクション中のリソースブロック４１０ａ、４１０ｂが割り当てられ得る。ＵＥには、ｅＮＢにデータを送信するために、データセクション中のリソースブロック４２０ａ、４２０ｂも割り当てられ得る。ＵＥは、制御セクション中の割り当てられたリソースブロック上の物理ＵＬ制御チャネル（ＰＵＣＣＨ：physical UL control channel）中で制御情報を送信し得る。ＵＥは、データセクション中の割り当てられたリソースブロック上の物理ＵＬ共有チャネル（ＰＵＳＣＨ： physical UL shared channel）中でデータのみまたはデータと制御情報の両方を送信し得る。ＵＬ送信は、サブフレームの両方のスロットにわたり得、周波数上でホッピングし得る。
【００３２】
初期システムアクセスを実行し、物理ランダムアクセスチャネル（ＰＲＡＣＨ：physical random access channel）４３０中でＵＬ同期を達成するためにリソースブロックのセットが使用され得る。ＰＲＡＣＨ４３０は、ランダムシーケンスを搬送し、いかなるＵＬデータ／シグナリングも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）中でまたは少数の連続サブフレームのシーケンス中で搬送され、ＵＥは、フレーム（１０ｍｓ）ごとに単一のＰＲＡＣＨ試みだけを行うことができる。
【００３３】
図５は、ＬＴＥにおけるユーザプレーンおよび制御プレーンのための無線プロトコルアーキテクチャの一例を示す図５００である。ＵＥおよびｅＮＢのための無線プロトコルアーキテクチャは、レイヤ１と、レイヤ２と、レイヤ３との３つのレイヤとともに示されている。レイヤ１（Ｌ１レイヤ）は最下位レイヤであり、様々な物理レイヤ信号処理機能を実装する。Ｌ１レイヤを本明細書では物理レイヤ５０６と呼ぶ。レイヤ２（Ｌ２レイヤ）５０８は、物理レイヤ５０６の上にあり、物理レイヤ５０６を介したＵＥとｅＮＢとの間のリンクを担当する。
【００３４】
ユーザプレーンでは、Ｌ２レイヤ５０８は、ネットワーク側のｅＮＢにおいて終端される、媒体アクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側のＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含むＬ２レイヤ５０８の上にいくつかの上位レイヤを有し得る。
【００３５】
ＰＤＣＰサブレイヤ５１４は、異なる無線ベアラと論理チャネルとの間で多重化を行う。ＰＤＣＰサブレイヤ５１４はまた、無線送信オーバーヘッドを低減するために上位レイヤデータパケットのヘッダ圧縮と、データパケットを暗号化することによるセキュリティと、ＵＥに対するｅＮＢ間のハンドオーバサポートとを与える。ＲＬＣサブレイヤ５１２は、上位レイヤデータパケットのセグメンテーションおよび再統合と、紛失データパケットの再送信と、ハイブリッド自動再送要求（ＨＡＲＱ：hybrid automatic repeat request）による、順が狂った受信を補正するデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル内の様々な無線リソース（たとえば、リソースブロック）を割り当てることを担当する。ＭＡＣサブレイヤ５１０はまたＨＡＲＱ動作を担当する。
【００３６】
制御プレーンでは、ＵＥおよびｅＮＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ：radio resource control）サブレイヤ５１６を含む。ＲＲＣサブレイヤ５１６は、無線リソース（すなわち、無線ベアラ）を取得することと、ｅＮＢとＵＥとの間のＲＲＣシグナリングを使用して下位レイヤを構成することとを担当する。
【００３７】
図６は、アクセスネットワーク中でＵＥ６５０と通信しているｅＮＢ６１０のブロック図である。ＤＬでは、コアネットワークからの上位レイヤパケットが、コントローラ／プロセッサ６７５に与えられる。コントローラ／プロセッサ６７５は、Ｌ２レイヤの機能を実装する。ＤＬでは、コントローラ／プロセッサ６７５は、様々な優先度メトリックに基づいてヘッダ圧縮と、暗号化と、パケットのセグメント化および並べ替えと、論理チャネルとトランスポートチャネルとの間の多重化と、ＵＥ６５０への無線リソース割当てとを行う。コントローラ／プロセッサ６７５はまた、ＨＡＲＱ動作と、紛失パケットの再送信と、ＵＥ６５０へのシグナリングとを担当する。
【００３８】
送信（ＴＸ）プロセッサ６１６は、Ｌ１レイヤ（すなわち、物理レイヤ）のための様々な信号処理機能を実装する。信号処理機能は、ＵＥ６５０における前方誤り訂正（ＦＥＣ：forward error correction）と、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づいた信号コンスタレーションへのマッピングとを可能にするために、コーディングとインターリービングとを含む。次いで、符号化され変調されたシンボルは並列ストリームに分割される。各ストリームは、次いでＯＦＤＭサブキャリアにマッピングされ、時間領域および／または周波数領域中で基準信号（たとえば、パイロット）と多重化され、次いで逆高速フーリエ変換（ＩＦＦＴ：Inverse Fast Fourier Transform）を使用して互いに合成されて、時間領域ＯＦＤＭシンボルストリームを搬送する物理チャネルを生成する。ＯＦＤＭストリームは、複数の空間ストリームを生成するために空間的にプリコードされる。チャネル推定器６７４からのチャネル推定値は、符号化および変調方式を判断するために、ならびに空間処理のために使用され得る。チャネル推定値は、ＵＥ６５０によって送信される基準信号および／またはチャネル状態フィードバックから導出され得る。次いで、各空間ストリームは、別個の送信機６１８ＴＸを介して異なるアンテナ６２０に与えられる。各送信機６１８ＴＸは、送信のためにそれぞれの空間ストリームでＲＦキャリアを変調する。
【００３９】
ＵＥ６５０において、各受信機６５４ＲＸは、それのそれぞれのアンテナ６５２を通して信号を受信する。各受信機６５４ＲＸは、ＲＦキャリア上に変調された情報を復元し、受信機（ＲＸ）プロセッサ６５６に情報を与える。ＲＸプロセッサ６５６は、Ｌ１レイヤの様々な信号処理機能を実装する。ＲＸプロセッサ６５６は、ＵＥ６５０に宛てられた任意の空間ストリームを復元するために、情報に対して空間処理を実行する。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで高速フーリエ変換（ＦＦＴ：Fast Fourier Transform）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと基準信号とは、ｅＮＢ６１０によって送信される、可能性が最も高い信号のコンスタレーションポイントを判断することによって復元され、復調される。これらの軟判定は、チャネル推定器６５８によって計算されるチャネル推定値に基づき得る。軟判定は、次いで、物理チャネル上でｅＮＢ６１０によって最初に送信されたデータと制御信号とを復元するために復号され、デインターリーブされる。データおよび制御信号は、次いで、コントローラ／プロセッサ６５９に与えられる。
【００４０】
コントローラ／プロセッサ６５９はＬ２レイヤを実装する。コントローラ／プロセッサは、プログラムコードとデータとを記憶するメモリ６６０に関連し得る。メモリ６６０はコンピュータ可読媒体と呼ばれることがある。ＵＬでは、コントローラ／プロセッサ６５９は、コアネットワークからの上位レイヤパケットを復元するために、トランスポートチャネルと論理チャネルとの間での多重分離と、パケット再統合と、復号（decipher）と、ヘッダの復元（decompression）と、制御信号処理とを行う。上位レイヤパケットは、次いで、Ｌ２レイヤの上のすべてのプロトコルレイヤを表すデータシンク６６２に与えられる。また、様々な制御信号がＬ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用した誤り検出を担当する。
【００４１】
ＵＬでは、データソース６６７は、コントローラ／プロセッサ６５９に上位レイヤパケットを与えるために使用される。データソース６６７は、Ｌ２レイヤの上のすべてのプロトコルレイヤを表す。ｅＮＢ６１０によるＤＬ送信に関して説明した機能と同様に、コントローラ／プロセッサ６５９は、ヘッダ圧縮と、暗号化と、パケットのセグメント化および並べ替えと、ｅＮＢ６１０による無線リソース割当てに基づいた論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ動作、紛失パケットの再送信、およびｅＮＢ６１０へのシグナリングを担当する。
【００４２】
ｅＮＢ６１０によって送信される基準信号またはフィードバックからの、チャネル推定器６５８によって導出されるチャネル推定値は、適切な符号化および変調方式を選択することと、空間処理を可能にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられる。各送信機６５４ＴＸは、送信のためにそれぞれの空間ストリームでＲＦキャリアを変調する。
【００４３】
ＵＬ送信は、ＵＥ６５０における受信機機能に関して説明した方法と同様の方法でｅＮＢ６１０において処理される。各受信機６１８ＲＸは、それのそれぞれのアンテナ６２０を通して信号を受信する。各受信機６１８ＲＸは、ＲＦキャリア上で変調された情報を復元し、ＲＸプロセッサ６７０に情報を与える。ＲＸプロセッサ６７０はＬ１レイヤを実装し得る。
【００４４】
コントローラ／プロセッサ６７５はＬ２レイヤを実装する。コントローラ／プロセッサ６７５は、プログラムコードとデータとを記憶するメモリ６７６に関連し得る。メモリ６７６はコンピュータ可読媒体と呼ばれることがある。ＵＬでは、コントローラ／プロセッサ６７５は、ＵＥ６５０からの上位レイヤパケットを復元するために、トランスポートチャネルと論理チャネルとの間の多重分離と、パケットリアセンブリと、復号と、ヘッダ復元と、制御信号処理とを行う。コントローラ／プロセッサ６７５からの上位レイヤパケットはコアネットワークに与えられ得る。コントローラ／プロセッサ６７５はまた、ＨＡＲＱ動作をサポートするためにＡＣＫおよび／またはＮＡＣＫプロトコルを使用した誤り検出を担当する。
【００４５】
ユニキャストサービスおよびマルチキャスト／ブロードキャストサービスに関して、ＵＥは、それらのサービスに関連する信号を受信するためのダウンリンクタイミングを更新するために（タイミング追跡とも呼ばれる）時間追跡を実行し得る。時間追跡は、シンボル間干渉が最小限に抑えられるようなＦＦＴウィンドウの正確な開始点を可能にするので、受信機性能における重要なファクタである。時間追跡によって判断されるタイミングオフセットは、さらに、現在サブフレームにおけるチャネル推定のために使用され得、次のサブフレームのためのダウンリンクタイミング（すなわち、ＦＦＴウィンドウの開始点）を更新するために使用される。
【００４６】
旧来、現在の通信システム（たとえば、ＬＴＥ  Ｒｅｌ−８／９／１０）における時間追跡は共通基準信号（ＣＲＳ）に基づき得る。ＣＲＳは、広帯域であり、すべてのサブフレーム中に存在し得る。したがって、信頼できる時間追跡が可能であり、時間追跡は、改善された性能のために２つ以上のサブフレームを利用（たとえば、平均）し得る。他の通信システム（たとえば、ＬＴＥ  Ｒｅｌ−１１以降）では、ＣＲＳ時間追跡は不可能または不適切のいずれかであり得る。いくつかのサブフレームまたはキャリアでは、ＣＲＳが存在しないことがある。たとえば、通信システム（たとえば、ＬＴＥ  Ｒｅｌ−１１）は、後方互換性がある追加のキャリアタイプを定義し得る。したがって、ＣＲＳは、すべてのサブフレーム中のこれらのキャリア中に常に存在するとは限らない。追加のキャリアタイプでは、ＣＲＳは、いくつかのサブフレーム中にのみ存在し得る。さらに、いくつかのシナリオ（たとえば、多地点協調（ＣｏＭＰ：coordinated multipoint）Ｔｘ／Ｒｘ）では、ＣＲＳの使用は時間追跡には不適切であり得る。ＣｏＭＰでは、制御とデータとが異なるセルから到着し得る。したがって、ＵＥは、ＣＲＳベースの時間追跡のために間違ったセルを仮定し得る。
【００４７】
いくつかの通信システム（たとえば、ＬＴＥ  Ｒｅｌ−１１以降）では、ＣＲＳベースでない時間追跡が必要とされ得る。したがって、時間追跡は、ＵＥ−ＲＳ、ＣＳＩ−ＲＳ、および／または他の基準信号に基づいて実行され得る。しかしながら、ＣＲＳベースの時間追跡とは異なり、ＵＥ−ＲＳ／ＣＳＩ−ＲＳ帯域幅／密度が制限され得るので、ＵＥは、時間追跡のためにＵＥ−ＲＳおよび／またはＣＳＩ−ＲＳに常に依拠することができるとは限らない。たとえば、ＵＥ用のＵＥ−ＲＳは、ＵＥがスケジュールされるときのみ存在し得る。すなわち、ＵＥ用のＵＥ−ＲＳは、１つのリソースブロック（ＲＢ）（物理ＲＢ（ＰＲＢ）とも呼ばれる）から
【数１】
0006755788.tif 000002
【００４８】
個のＲＢにわたり得るスケジュールされたＰＤＳＣＨ帯域幅においてのみ利用可能であり、ただし、
【数２】
0006755788.tif 000003
【００４９】
はＲＢの単位のダウンリンクシステム帯域幅である。したがって、ＵＥ−ＲＳアンテナポートは、異なるサブフレームにわたって（１つまたは複数の）同じ物理アンテナポートにマッピングしないことがある。さらに、ＣＳＩ−ＲＳは、サブフレームのサブセット中にのみ存在し得、ＣＳＩ−ＲＳポートごとにＲＢ当たり１つのリソース要素（ＲＥ）しか存在しないので、低い密度を有し得る。その結果、時間追跡は、受信機性能を改善するための平均化のために複数のサブフレームに容易に依拠することができない。さらに、割り当てられたＰＤＳＣＨ帯域幅が極めて小さい場合（たとえば、１つまたは数個のＲＢ）、ＵＥ−ＲＳベースの時間追跡性能は重度に損なわれ得る。さらに、ＣＳＩ−ＲＳ時間追跡性能も低い密度により損なわれ得る。
【００５０】
通信システム（たとえば、ＬＴＥ  Ｒｅｌ−１１）では、拡張ＰＤＣＣＨ（ｅＰＤＣＣＨ：enhanced PDCCH）が与えられ得る。サブフレーム中の最初のいくつかの制御シンボルを占有するレガシーＰＤＣＣＨとは異なり、ｅＰＤＣＣＨは、ＰＤＳＣＨと同様にデータ領域を占有する。帯域幅がしばしば大きいＰＤＳＣＨとは異なり、１つのｅＰＤＣＣＨは、１つのＲＢまたは極めて限られた数のＲＢのみを消費し得る。ＵＥ−ＲＳベースのｅＰＤＣＣＨが通信システムにおいてサポートされ得る。ｅＰＤＣＣＨ／ＰＤＣＣＨを使用するように構成されたＵＥは、（たとえば、異種ネットワークにおける近隣セルからの圧倒的な干渉により）ＣＲＳを確実に受信しないことがあるか、またはＣＲＳが利用可能でないことがある（たとえば、ＣＲＳが存在しない）。したがって、時間追跡は、特に対応する帯域幅が制限されるとき、ＰＤＳＣＨ性能に影響を及ぼすだけでなく、ＰＤＣＣＨ／ｅＰＤＣＣＨ性能にも影響を及ぼすであろう。したがって、特に（周波数および／または時間において）割り当てられた帯域幅および／またはＲＳ密度が低いとき、ＵＥ−ＲＳおよび／またはＣＳＩ−ＲＳベースの時間追跡のための時間追跡性能を改善するための方法が必要である。
【００５１】
図７は、様々なタイプのサブフレーム内のＵＥ−ＲＳのロケーションを示し、ＵＥ−ＲＳベースの時間追跡のための例示的な方法について説明するための図７００である。図７において、図７１０は、通常のサブフレーム内のＵＥ−ＲＳのロケーションを示す。図７２０は、１１、１２シンボルをもつダウンリンクパイロットタイムスロット（ＤｗＰＴＳ）サブフレーム内のＵＥ−ＲＳのロケーションを示す。図７３０は、９、１０シンボルをもつＤｗＰＴＳサブフレーム内のＵＥ−ＲＳのロケーションを示す。ＵＥは、ＵＥ−ＲＳのためにＲＢ当たり最高２４個のＲＥを利用することが可能であり得る。ランク１送信およびランク２送信の場合、ＵＥ−ＲＳ  ＲＥ７０２（図７中のより濃い影つきのＲＥ）のみが存在し、結果として、ＵＥ−ＲＳのためのＲＢ当たりのＲＥは１２個になる。ランク２よりも大きい送信の場合、ＵＥ−ＲＳ  ＲＥ７０２とＵＥ−ＲＳ  ＲＥ７０４（図７中のより淡い影つきのＲＥ）とが存在し、結果として、ＵＥ−ＲＳのためのＲＢ当たりのＲＥは２４個になる。限られた数のＲＢ（ＰＤＳＣＨおよび／またはｅＰＤＣＣＨ）のために、特に１２個のＵＥ−ＲＳ  ＲＥ／ＲＢのみが利用可能なとき（すなわち、ＵＥがランク１送信またはランク２送信を受信するように構成されたとき）、時間追跡性能は重度に損なわれ得る。
【００５２】
ＵＥ−ＲＳベースの時間追跡問題に対処するために、第１の例示的な方法では、ｅＮＢは小さいＰＤＳＣＨ／ＰＤＣＣＨ割当てを明示的に制限し得る。たとえば、ｅＮＢは１ＲＢ  ＰＤＳＣＨ割当てを許可しないことがある。代替として、ｅＮＢは、変調次数（modulation order）に基づいて小さいＰＤＳＣＨ／ＰＤＣＣＨ割当てを制限し得る。たとえば、ｅＮＢは、１ＲＢ＋ＱＰＳＫ組合せを許可し得るが、１ＲＢと１６／６４ＱＡＭとの組合せは許可しないことがある。より高い変調次数の場合、より高い精度の時間追跡が必要とされ得る。したがって、ｅＮＢは、より高い変調次数の場合のみ、小さいＰＤＳＣＨ／ＰＤＣＣＨ割当てを制限し得る。
【００５３】
第１の例示的な方法によれば、ｅＮＢは、全体的にまたは変調次数に基づいて、ダウンリンク割当てにおいてターゲットＵＥに割り振られ得るＲＢの数を２よりも大きい（３、４など）かまたはそれに等しくなるように制限し得る。「ターゲットＵＥ」という用語は、リソース割当ての焦点であるｅＮＢのセル内のＵＥを指すことがある。たとえば、ｅＮＢは、ダウンリンク割当てにおいてターゲットＵＥに割り振られ得るＲＢの数を２または３に制限し得る。それに応じて、ｅＮＢは、ダウンリンク割当てに対応するダウンリンク送信（データ／制御）をターゲットＵＥに送信し得る。その上、ｅＮＢは、ダウンリンク送信のための変調次数（たとえば、ＱＰＳＫ、１６ＱＡＭ、６４ＱＡＭ）を判断し、判断された変調次数に基づいて、ＲＢの数を制限すべきかどうかを判断し得る。たとえば、ｅＮＢは、変調次数がしきい値（たとえば、しきい値はＱＰＳＫであり得る）よりも大きいときのみ、ダウンリンク割当てにおいてターゲットＵＥに割り振られ得るＲＢの数を２よりも大きいかまたはそれに等しくなるように制限し得る。
【００５４】
第２の例示的な方法では、ターゲットＵＥは、ＵＥ−ＲＳベースの時間追跡のためにプリコーディングリソースブロックグループ（ＰＲＧ）機能を利用し得る。通信システム（たとえば、ＬＴＥ  Ｒｅｌ−１０）では、ＰＲＧは、送信モード９とプリコーディング行列インジケータ（ＰＭＩ：precoding matrix indicator）／ランクインジケータ（ＲＩ： rank indicator）チャネルフィードバックとで構成されたターゲットＵＥのためにサポートされ得る。第２の例示的な方法では、ターゲットＵＥは、プリコーディンググラニュラリティが周波数領域において（典型的な場合のように１つのＲＢである代わりに）２つ以上のＲＢであると仮定し得る。したがって、ターゲットＵＥは、ＰＲＧ内のすべてのスケジュールされたＲＢに同じプリコーダが適用されると仮定し得る。各ＰＲＧは、同じプリコーディングを用いた連続するＲＢを含む。ＰＲＧサイズは、以下の表に示すようにダウンリンクシステム帯域幅依存である。
【表１】
0006755788.tif 000004
【００５５】
ターゲットＵＥが、ＰＲＧ中の、ＵＥ−ＲＳを含んでいる複数のＲＢを受信したとき、ターゲットＵＥは、ＰＲＧ中のＲＢの送信のための仮定された同じプリコーディングに基づいて、複数のリソースブロック中のＵＥ−ＲＳを復号し得る。ターゲットＵＥは、次いで、復号されたＵＥ−ＲＳのコヒーレント合成に基づいて時間追跡を実行することが可能であり得る。代替として、ターゲットＵＥが、異なるプリコーディングに基づいて複数のＲＢ中のＵＥ−ＲＳを復号する場合、ターゲットＵＥは、プリコーディングサブグループごとに時間追跡を別個に実行し、その後（たとえば、平均化を介して）結果を合成しなければならなくなり、これは、コヒーレント合成よりも不十分な性能を有する。したがって、コヒーレント合成では、時間追跡アルゴリズムは、すべての復号されたＵＥ−ＲＳを用いて１回実行されるが、コヒーレント合成がない場合、時間追跡は、複数回実行され、平均化を通して合成される。したがって、第２の例示的な方法では、ターゲットＵＥは、ＵＥ−ＲＳベースの時間追跡の改善された性能のために、ＰＲＧ内の同じプリコーディングを活用し得る。
【００５６】
第３の例示的な方法では、改善された時間追跡のために、ＲＢは２４個のＵＥ−ＲＳ  ＲＥ（１２個のＵＥ−ＲＳ  ＲＥ７０２（図７中のより濃い影つきのＲＥ）および１２個のＵＥ−ＲＳ  ＲＥ７０４（図７中のより淡い影つきのＲＥ））を含むと仮定され得る。１２個のＵＥ−ＲＳの追加の第２のセット（たとえば、１２個のＵＥ−ＲＳ  ＲＥ７０４）は、時間追跡（およびＰＤＳＣＨ／ｅＰＤＣＣＨ復号）を改善するのを助ける。１２個のＵＥ−ＲＳの追加の第２のセットは、少数のＲＢの割当てのみに関連し得る。たとえば、ダウンリンク割当てが１つのＲＢ  ＰＤＳＣＨおよび／またはＰＤＣＣＨを含むとき、ＲＢは２４個のＵＥ−ＲＳ  ＲＥを含むと仮定され得る。そうではなく、ダウンリンク割当てが２つ以上のＲＢ  ＰＤＳＣＨおよび／またはＰＤＣＣＨを含むとき、ＲＢは、構成または割当てに応じて、１２個のＵＥ−ＲＳ  ＲＥまたは２４個のＵＥ−ＲＳ  ＲＥを含むと仮定され得る。たとえば、ランク１送信またはランク２送信は１２個のＵＥ−ＲＳ  ＲＥを含み得、ランク２送信よりも大きい送信は２４個のＵＥ−ＲＳ  ＲＥを含み得る。ターゲットＵＥは、ｅＮＢからのシグナリングなしに追加の１２個のＵＥ−ＲＳ  ＲＥの存在を判断するためにブラインド検出を実行し得る。
【００５７】
１２個のＵＥ−ＲＳ  ＲＥの第２のセットは他のＵＥ用でないことがある。したがって、ｅＮＢは、１２個のＵＥ−ＲＳ  ＲＥの第２のセットを送信するために、１２個のＵＥ−ＲＳ  ＲＥの第１のセットを送信するために使用したのと同じプリコーディングを使用し得る。代替として、１２個のＵＥ−ＲＳ  ＲＥの第２のセットは他のＵＥ用であり得、したがって、異なるプリコーディングを有し得る。たとえば、ＵＥ−ＲＳ  ＲＥの第２のセットは、ＰＤＳＣＨの場合のマルチユーザＭＩＭＯ（ＭＵ−ＭＩＭＯ）動作のために使用されるか、またはｅＰＤＣＣＨの場合のＭＵ−ＭＩＭＯ動作のために使用され得る。別の例では、２つ以上のｅＰＤＣＣＨが、周波数分割多重（ＦＤＭ）方法で同じＲＢを共有し、異なるアンテナポートを使用し得る。
【００５８】
したがって、ＵＥ−ＲＳ  ＲＥの第２のセットが他のＵＥ用であるか否かに応じて、ＵＥ−ＲＳ  ＲＥの第２のセットは、ＵＥ−ＲＳ  ＲＥの第１のセットのために使用されたプリコーダとは異なるプリコーディングを用いて送信され得る。たとえば、ｅＮＢが、異なるプリコーディングを用いてＵＥ−ＲＳ  ＲＥの第２のセットを送信する場合、ＵＥ−ＲＳ  ＲＥの第２のセットは少なくとも１つの他のＵＥによって使用される。別の例では、ｅＮＢが（電力ランダム化を達成するために）ＵＥ−ＲＳ  ＲＥの第１のセットと同じプリコーディングを用いてＵＥ−ＲＳ  ＲＥの第２のセットを送信する場合、ＵＥ−ＲＳ
ＲＥの第２のセットは、少なくとも１つの他のＵＥによって使用されるか、または他のいかなるＵＥによっても使用されないことがある。ＵＥ−ＲＳ  ＲＥの第２のセットが他のいかなるＵＥによっても使用されず、ターゲットＵＥが（たとえば、ランク１送信またはランク２送信において）ＵＥ−ＲＳ  ＲＥの第２のセットを受信するように構成されないとき、ｅＮＢは、改善された時間追跡性能を可能にするために、ターゲットＵＥにＵＥ−ＲＳ  ＲＥの第２のセットを明確に送信する。
【００５９】
同じプリコーディングを有するＵＥ−ＲＳ  ＲＥの第１のセットと第２のセットの両方はＰＲＧモデルと同様であり、違いは、同じプリコーディングが、ＰＲＧの場合のようにＲＢにわたって使用される代わりに、ＲＢ内のＵＥ−ＲＳ  ＲＥの２つのセットにわたって使用されることである。アンテナポート７とアンテナポート８の両方がＵＥ−ＲＳ  ＲＥの第１のセット中に存在する場合、アンテナポート７またはアンテナポート８のうちの１つあるいはアンテナポート７とアンテナポート８の両方がＵＥ−ＲＳベースの時間追跡のために依拠されるかどうかに応じて、アンテナポート７またはアンテナポート８のうちの１つあるいはアンテナポート７とアンテナポート８の両方にプリコーディングの重複が適用され得る。ＰＤＳＣＨの場合、ＭＵ−ＭＩＭＯが（１２個のＵＥ−ＲＳ  ＲＥの第１のセットにマッピングされる）アンテナポート７およびアンテナポート８のみを用いてサポートされるので、ｅＮＢは、ターゲットＵＥがアンテナポート７および／またはアンテナポート８を用いてダウンリンク送信を受信するように構成されたとき、ＵＥ−ＲＳ  ＲＥの第１および第２のセットのために同じプリコーディングを使用し得る。すなわち、ターゲットＵＥがアンテナポート７および／またはアンテナポート８を用いてダウンリンク送信を受信するように構成されたとき、ＵＥ−ＲＳ  ＲＥの第２のセットは他のＵＥによって利用されない。したがって、ｅＮＢは、特定のＵＥのためのより良い時間追跡を可能にするために、特定のＵＥがＵＥ−ＲＳ  ＲＥの第１のセットのみを受信するように構成されたとしても（たとえば、ランク１送信またはランク２送信を受信するように構成されたときでも）、同じプリコーディングを用いてＵＥ−ＲＳ  ＲＥの第２のセットを特定のＵＥに送信し得る。
【００６０】
ｅ−ＰＤＣＣＨの場合、１つのＲＢ内にアンテナポート７および／またはアンテナポート８が存在し得る。代替として、１つのＲＢ内にアンテナポート７、８、９、または１０のうちの少なくとも１つが存在し得る。１つのＲＢ内にｅＰＤＣＣＨのためのアンテナポート７および／または８のみが存在する場合、ＵＥ−ＲＳ  ＲＥの第２のセットについてＭＵ−ＭＩＭＯがないので、ｅＮＢは、ＵＥ−ＲＳ  ＲＥの第１のセットと第２のセットの両方ために同じプリコーディングを使用し得る。１つのＲＢ内にｅＰＤＣＣＨのためのアンテナポート７および／または８とアンテナポート９および／または１０とが存在する場合、ＵＥ−ＲＳ  ＲＥの第２のセットは他のＵＥによって使用され得る。したがって、ｅＮＢは、ＵＥ−ＲＳ  ＲＥの第２のセットが他のＵＥ用であるかどうかをターゲットＵＥに通知し得る。ターゲットＵＥがそのような情報を受信した場合、ターゲットＵＥは、ＵＥ−ＲＳ  ＲＥの第２のセットがＵＥ−ＲＳ  ＲＥの第１のセットとは異なるプリコーディングを有することを知ることになる。そうではなく、ターゲットＵＥがそのような情報を受信しない場合、ターゲットＵＥは、ＵＥ−ＲＳ  ＲＥの第２のセットがＵＥ−ＲＳ
ＲＥの第１のセットと同じプリコーディングを有すると仮定することになる。ｅＮＢは、１ビットシグナリングを介してまたはハードコードされた情報（たとえば、１つのＲＢ動作についてＭＵ−ＭＩＭＯなし）を通して、ＵＥ−ＲＳ  ＲＥの第２のセットが他のＵＥのために使用されるかどうかをターゲットＵＥに通知し得る。
【００６１】
さらに、ＵＥが、同じＰＲＧの１つまたは複数の同じＰＲＢペア中の２つ以上のｅＰＤＣＣＨ送信を受信した場合、ＵＥは、２つ以上のｅＰＤＣＣＨ送信に関連する異なるアンテナポートに同じプリコーディングが適用されると仮定し得る。２つ以上のｅＰＤＣＣＨ送信は、ｅＰＤＣＣＨによって占有されるリソースが同じＰＲＧの１つまたは複数の所与のＰＲＢペア内にあるような局所送信であり得る。同じＵＥのための２つ以上のｅＰＤＣＣＨ送信は、ブロードキャストｅＰＤＣＣＨ（たとえば、システム情報ブロードキャスト）、グループキャストｅＰＤＣＣＨ（たとえば、グループ電力制御）、ユニキャストｅＰＤＣＣＨスケジューリングダウンリンクチャネル、ユニキャストｅＰＤＣＣＨスケジューリングアップリンクチャネル、またはそれらの組合せであり得る。
【００６２】
２つ以上のｅＰＤＣＣＨ送信は、アンテナポート７、８、９、および／または１０に関連し得る。たとえば、ＵＥは、アンテナポート７に関連するダウンリンクスケジューリングのためのｅＰＤＣＣＨとアンテナポート８に関連するアップリンクスケジューリングのためのｅＰＤＣＣＨとを受信し得る。ＵＥは、２つのｅＰＤＣＣＨ送信のためにアンテナポート７とアンテナポート８とに同じプリコーディングが適用されると仮定し得る。ＵＥは、さらに、ＵＥ−ＲＳ  ＲＥの第２のセットがＵＥのためのｅＰＤＣＣＨ復号のために利用可能である場合、アンテナポート９および１０にも同じプリコーディングが適用されると仮定し得る。
【００６３】
別の例では、ＵＥは、アンテナポート７に関連するダウンリンクスケジューリングのためのｅＰＤＣＣＨとアンテナポート９に関連するアップリンクスケジューリングのためのｅＰＤＣＣＨとを受信し得る。ＵＥは、２つのｅＰＤＣＣＨ送信のためにアンテナポート７とアンテナポート９とに同じプリコーディングが適用されると仮定し得る。同じＰＲＧの１つまたは複数の同じＰＲＢペア中の２つ以上のｅＰＤＣＣＨ送信がＵＥに送信されたか否かを判断するために、ＵＥは、並列方法または直列方法でｅＰＤＣＣＨ復号を実行し得る。並列復号では、ＵＥは、同じプリコーディングが２つ以上のアンテナポートに適用されるような２つ以上のｅＰＤＣＣＨ送信が存在すると仮定し、２つ以上のｅＰＤＣＣＨ送信について同時に復号を実行し得る。直列復号では、ＵＥは、最初に１つのアンテナポートに関してｅＰＤＣＣＨ復号を実行し得、少なくとも１つの成功したｅＰＤＣＣＨ復号の後に、ＵＥは、さらに、対応するアンテナポートの同じプリコーディングを仮定して、同じＰＲＧの１つまたは複数の同じＰＲＢペア内の追加のｅＰＤＣＣＨ復号を実行し得る。ｅＰＤＣＣＨ復号を可能にするために、ｅＮＢは、同じＵＥのための２つ以上のｅＰＤＣＣＨ送信が、同じＰＲＧの１つまたは複数の同じＰＲＢペア中にあることを保証し得る。
【００６４】
同じＵＥのための２つ以上のｅＰＤＣＣＨ送信に関連するアンテナポートの可能な組合せは制限され得る。たとえば、ＵＥは、同じＰＲＧの１つまたは複数の同じＰＲＢペアにおいて、アンテナポートの１つの組合せ、たとえば、｛７，９｝のみが、同じＵＥのための２つのｅＰＤＣＣＨ送信のために使用され得ると仮定し得る。
【００６５】
一構成では、ＲＢ中の４つのポートが必要である場合、ｅＮＢは、（１２個のＵＥ−ＲＳ  ＲＥの第１のセットにマッピングされる）アンテナポート７、８、１１、および１３を使用するように構成され得、したがって、ターゲットＵＥは、ＵＥ−ＲＳ  ＲＥの第１のセットと第２のセットの両方について同じプリコーディングを仮定し得る。代替として、ｅＮＢは、（１２個のＵＥ−ＲＳ  ＲＥの第２のセットにマッピングされる）アンテナポート９、１０、１２、および１４を使用するように構成され得、したがって、ターゲットＵＥは、ＵＥ−ＲＳ  ＲＥの第１のセットと第２のセットの両方について同じプリコーディングを仮定し得る。
【００６６】
３つの設計代替形態は、必ずしも互いに排他的であるとは限らない。すなわち、追加の例示的な方法は、第１、第２、および第３の例示的な方法のうちの少なくとも２つを組み合わせ得る。たとえば、２４個のＵＥ−ＲＳ  ＲＥが２つのＲＢの各々中に存在し、１２個のＲＥの各セットが同じプリコーダを有する場合、同じＰＲＧ中の２つのＲＢを用いたＰＤＳＣＨのランク１送信またはランク２送信のための第２の例示的な方法と第３の例示的な方法との組合せが使用され得る。
【００６７】
図８に、リソースブロックのセット内の基準信号構成の図であって、ＣＳＩ−ＲＳベースの時間追跡のための例示的な方法について説明するための図８００、図８０２、および図８０４を示す。リソースブロックのセットは、ポート１、２、３、および４についての共通またはセル固有基準信号（ＣＲＳ）と、復調基準信号（ＤＭ−ＲＳ）と、チャネル状態情報基準信号（ＣＳＩ−ＲＳ）とを含み得る。図８００は２ＣＳＩ−ＲＳのための構成を示し、図８０２は４ＣＳＩ−ＲＳのための構成を示し、図８０４は８ＣＳＩ−ＲＳのための構成を示す。物理ダウンリンク制御チャネル（ＰＤＣＣＨ）およびＰＤＳＣＨも示されている。ＣＳＩ−ＲＳの場合、ＣＳＩ−ＲＳポート当たり１つのＲＥがあり、ＣＳＩ−ＲＳリソースのセット当たり最高８つのＣＳＩ−ＲＳポートがある。現在、ＣＳＩ−ＲＳは、５ｍｓの最小周期を有する（多くて、５ｍｓごとに１回存在する）。通信システム（たとえば、ＬＴＥ  Ｒｅｌ−１１）では、ターゲットＵＥはＣＳＩ−ＲＳリソースの２つ以上のセットで構成され得る。たとえば、ターゲットＵＥがＣＳＩ−ＲＳリソースの２つのセットで構成され、各セットが８つのＣＳＩ−ＲＳポートを含む場合、ターゲットＵＥは１６個のＣＳＩ−ＲＳポートで構成され得る。
【００６８】
第４の例示的な方法によれば、ターゲットＵＥは、より少ない数の必要とされるＣＳＩ−ＲＳポート（たとえば、４つ）がある場合でも、ターゲットＵＥが８つのＣＳＩ−ＲＳポートで構成されると仮定し得る。ＣＳＩ−ＲＳがプリコーディングされる場合、同じプリコーディングが、追加として仮定されたＣＳＩ−ＲＳポートに適用され得る。さらに、ｅＮＢは、２つ以上のＣＳＩ−ＲＳリソースセットの近接度をブロードキャストし得る。一般に、ターゲットＵＥのためのＣＳＩ−ＲＳリソースの２つ以上の構成されたセットは、物理的にコロケートされないことがある、（たとえば、ＣｏＭＰにおける）異なるセルに属し得る。しかしながら、２つ以上のセルが、それらのセルが（伝搬遅延、リピータ遅延などを含めて）ターゲットＵＥ受信においてほぼ同じダウンリンクタイミングを有するような、ターゲットＵＥまでのほぼ同じ距離を有する場合、ターゲットＵＥは、改善された時間追跡のために２つ以上のＣＳＩ−ＲＳセットを安全に組み合わせることができる。そうでない場合、それらのセルは、ターゲットＵＥ受信において異なるダウンリンクタイミングを有し得るので、ターゲットＵＥは、時間追跡のために２つ以上のＣＳＩ−ＲＳセットを組み合わせないことがある。２つ以上のＣＳＩ−ＲＳセットの近接度をターゲットＵＥに通知することによって、ターゲットＵＥは時間追跡のために適切なアクションをとることができる。
【００６９】
仮定された追加のＣＳＩ−ＲＳは狭帯域であり得る。したがって、ターゲットＵＥは、追加のＣＳＩ−ＲＳが、ＣＳＩ−ＲＳを搬送するサブフレームのサブセット中にのみ存在すると仮定し得る。したがって、ＣＳＩフィードバックのための広帯域ＣＳＩ−ＲＳの１つのセットと、時間追跡のための（割り当てられたＰＤＳＣＨ帯域幅のみに局所化された）狭帯域ＣＳＩ−ＲＳの異なるセットとがあり得る。レガシーＵＥとの後方互換性のために、ｅＮＢは、レガシーＵＥのためにＣＳＩ−ＲＳの第２のセットをミュートされたＲＥとしてブロードキャストする必要があり得る。例示的な方法はまた、ＰＤＳＣＨ／ｅＰＤＣＣＨのためのチャネル推定または他の機能に適用され得る。手法に基づくＵＥ−ＲＳとＣＳＩ−ＲＳとの組合せも可能である。
【００７０】
図９は、例示的な方法を示すための図９００である。第１の構成では、ｅＮＢ９０２は、ダウンリンク割当て９０９においてＵＥ９０４に割り振られ得るＲＢの数をＮよりも大きいかまたはそれに等しくなるように制限し、ただし、Ｎ＞１（たとえば、Ｎ＝２）である。ｅＮＢ９０２は、ダウンリンク割当て９０９に対応するダウンリンク送信９１０をＵＥ９０４に送信する。ｅＮＢ９０２は、ダウンリンク送信９１０のための変調次数を判断し、判断された変調次数に基づいて、ＵＥ９０４に割り振られ得るＲＢの数を制限すべきかどうかを判断し得る。ｅＮＢ９０２は、変調次数がしきい値よりも大きいときのみ、ダウンリンク割当て９０９においてＵＥ９０４に割り振られ得るＲＢの数を２よりも大きいかまたはそれに等しくなるように制限することによって、判断された変調次数に基づいてＲＢの数を制限し得る（たとえば、１ＲＢ＋ＱＰＳＫは許可されるが、１ＲＢ＋１６ＱＡＭは許可されない）。ダウンリンク送信９１０内の複数のＲＢ中のＵＥ−ＲＳおよび／またはＣＳＩ−ＲＳに基づいて、ＵＥ９０４は時間追跡９１２を実行する。
【００７１】
第２の構成では、ＵＥ９０４は、ｅＮＢ９０２から送信９１０中の複数のＲＢを受信する。複数のＲＢはＰＲＧを含む。ＵＥ９０４は、ＰＲＧ中のＲＢの送信のための仮定された同じプリコーディングに基づいてＵＥ−ＲＳを復号する。ＵＥ９０４は、ＰＲＧ中の復号されたＵＥ−ＲＳに基づいて時間追跡９１２を実行する。ＵＥ９０４は、ｅＮＢ９０２から、ＣｏＭＰ送信をサポートする送信モード（たとえば、送信モード９）を使用して送信９１０を受信するための構成を受信し得る。
【００７２】
第３の構成では、ＵＥ９０４は送信９１０中の少なくとも１つのＲＢを受信する。少なくとも１つのＲＢの各々はＵＥ−ＲＳの第１のセット（たとえば、１２個のＵＥ−ＲＳ  ＲＥを含むＵＥ−ＲＳ７０２）を含む。ＵＥ９０４は、少なくとも１つのＲＢのＲＢがＵＥ−ＲＳの第２のセット（たとえば、１２個のＵＥ−ＲＳ  ＲＥを含むＵＥ−ＲＳ７０４）を含むかどうかを判断する。ＵＥ９０４は、ＵＥ−ＲＳの第１のセットに基づいて、およびＲＢがＵＥ−ＲＳの第２のセットを含むと判断されたとき、ＵＥ−ＲＳの第２のセットに基づいて、時間追跡９１２を実行する。ＵＥ９０４は、少なくとも１つのＲＢがそのＲＢだけを含むときのみ、少なくとも１つのＲＢのＲＢがＵＥ−ＲＳの第２のセットを含むかどうかを判断し得る。すなわち、ＵＥ９０４は、しきい値数のＲＢ（たとえば、２つのＲＢ）よりも少ないＲＢが受信されたときのみ、ＵＥ−ＲＳの第２のセットがダウンリンク送信中に含まれるかどうかを（たとえば、ブラインド検出または明示的シグナリングを通して）判断し得る。送信９１０はランク１送信またはランク２送信であり得る。ＵＥ−ＲＳの第１のセットはＵＥ９０４用であり得、ＵＥ−ＲＳの第２のセットは別のＵＥ（たとえば、ＵＥ９０８）用であるかまたは他のいかなるＵＥ用でもないことがある。ＵＥ−ＲＳの第１のセットとＵＥ−ＲＳの第２のセットとは異なるプリコーディングを有し得、したがって、ＵＥ−ＲＳの第２のセットは、ＵＥ９０８など、別のＵＥ用であり得る。もちろん、ｅＮＢは、ＵＥ−ＲＳの第２のセットが他のいかなるＵＥ用でもなくても、ＵＥ−ＲＳの第１のセットのために使用されたのとは異なるプリコーディングを用いてＵＥ−ＲＳの第２のセットを送信し得る。ＵＥ−ＲＳの第１のセットとＵＥ−ＲＳの第２のセットとは同じプリコーディングを有し得る。ＵＥ９０４は、ブラインド検出を実行することによって、少なくとも１つのＲＢのＲＢがＵＥ−ＲＳの第２のセットを含むかどうかを判断し得る。ＵＥ９０４は、ｅＮＢ９０２から、ＲＢがＵＥ−ＲＳの第２のセットを含むかどうかを示す情報を受信することによって、少なくとも１つのＲＢのＲＢがＵＥ−ＲＳの第２のセットを含むかどうかを判断し得る。
【００７３】
第４の構成では、ｅＮＢ９０２は、ランク１送信またはランク２送信のうちの１つを受信するようにＵＥ９０４を構成する。ｅＮＢ９０２はＵＥ９０４にＲＢを送信する。ＲＢはＵＥ−ＲＳの第１のセットとＵＥ−ＲＳの第２のセットとを含む。ＵＥ−ＲＳの第１のセットとＵＥ−ＲＳの第２のセットとのうちの一方はＵＥ９０４用である。ＵＥ−ＲＳの第１のセットとＵＥ−ＲＳの第２のセットとのうちの他方は、別のＵＥ（たとえば、ＵＥ９０８）用であるかまたは他のいかなるＵＥ用でもない。ＵＥ−ＲＳの第１のセットは１２個のＵＥ−ＲＳを含み得、ＵＥ−ＲＳの第２のセットは１２個のＵＥ−ＲＳを含み得、ＵＥ−ＲＳは合計２４個になる。ｅＮＢ９０２はＲＢのセットとともにＲＢを送信し得、ｅＮＢ９０２は、ＲＢのセット中のＲＢの数がしきい値数（たとえば、２）よりも少ないとき、少なくとも１つのＵＥ−ＲＳをもつＵＥ−ＲＳの第２のセットを送信し得る。ｅＮＢ９０２は、ＵＥ−ＲＳの第１のセットとＵＥ−ＲＳの第２のセットとのために同じプリコーディングを使用し得る。ｅＮＢ９０２は、ＵＥ−ＲＳの第１のセットとＵＥ−ＲＳの第２のセットとのために異なるプリコーディングを使用し得、したがって、ＵＥ−ＲＳの第１のセットとＵＥ−ＲＳの第２のセットとのうちの他方は、ＵＥ９０８など、別のＵＥ用である。ｅＮＢ９０２は、４つのアンテナポートを用いてＲＢを送信することと、アンテナポート７、８、１１、および１３を含むように４つのアンテナポートを選択することとを判断し得る。アンテナポート７、８、１１、および１３は、ＵＥ−ＲＳの第１のセットへのＵＥ−ＲＳのマッピングを与え得る。ＵＥ−ＲＳの第１のセットはＵＥ９０４用であり得、ＵＥ−ＲＳの第２のセットは他のいかなるＵＥ用でもないことがあり、ｅＮＢ９０２は、ＵＥ９０４がＵＥ−ＲＳの第１のセットとＵＥ−ＲＳの第２のセットの両方に基づいて時間追跡を実行することを可能にするために、ＵＥ−ＲＳの第２のセットをＲＢ中に含め得る。ｅＮＢ９０２は、４つのアンテナポートを用いてＲＢを送信することと、アンテナポート９、１０、１２、および１４を含むように４つのアンテナポートを選択することとを判断し得る。アンテナポート９、１０、１２、および１４は、ＵＥ−ＲＳの第２のセットへのＵＥ−ＲＳのマッピングを与え得る。ＵＥ−ＲＳの第２のセットはＵＥ９０４用であり得、ＵＥ−ＲＳの第１のセットは他のいかなるＵＥ用でもないことがあり、ｅＮＢ９０２は、ＵＥ９０４がＵＥ−ＲＳの第１のセットとＵＥ−ＲＳの第２のセットの両方に基づいて時間追跡を実行することを可能にするために、ＵＥ−ＲＳの第１のセットをＲＢ中に含め得る。
【００７４】
第５の構成では、ＵＥ９０４は、少なくとも１つのＲＢの各ＲＢ中に第１の数のＣＳＩ−ＲＳポート（たとえば、４つのＣＳＩ−ＲＳポート）がある、少なくとも１つのＲＢを受信するための構成を受信する。ＵＥ９０４は、送信９１０中の少なくとも１つのＲＢを受信する。ＵＥ９０４は、少なくとも１つのＲＢのＲＢが、第１の数のＣＳＩ−ＲＳポートよりも多い第２の数のＣＳＩ−ＲＳポート（たとえば、８つのＣＳＩ−ＲＳポート）を含むと仮定する。ＵＥ９０４は、仮定した第２の数のＣＳＩ−ＲＳポートに対応するＲＥ中の信号に基づいて時間追跡９１２を実行する。ＵＥ９０４は、少なくとも１つのＲＢがしきい値数（たとえば、８つ）のＲＢよりも少ないＲＢを含み、ＣＳＩ−ＲＳポートの第１の数がＣＳＩ−ＲＳポートのしきい値数よりも少ないとき、ＲＢが第２の数のＣＳＩ−ＲＳポートを含むと仮定し得る。第２の数のＣＳＩ−ＲＳポートは、少なくとも、ｅＮＢ９０２によって送信されたＣＳＩ−ＲＳポートの第１のセットと、第２のｅＮＢ９０６によって送信されたＣＳＩ−ＲＳポートの第２のセットとを含み得る。ＵＥ９０４は、ｅＮＢ９０２から、ｅＮＢ９０２およびｅＮＢ９０６の各々からの距離、ｅＮＢ９０２およびｅＮＢ９０６の各々からの伝搬時間、ｅＮＢ９０２からの距離とｅＮＢ９０６からの距離との間の関係、またはｅＮＢ９０２からの伝搬時間とｅＮＢ９０６からの伝搬時間との間の関係のうちの１つを示す近接情報を受信し得る。ＵＥ９０４は、受信した近接情報に基づいて時間追跡９１２を実行し得る。
【００７５】
第６の構成では、ｅＮＢ９０２は、第１の数のＣＳＩ−ＲＳポートを受信するようにＵＥ９０４を構成する。ｅＮＢ９０２は、第１の数のＣＳＩ−ＲＳポートよりも多い第２の数のＣＳＩ−ＲＳポートを含むＲＢをＵＥ９０４に送信する。第２の数のＣＳＩ−ＲＳポートは、ＵＥ９０４による改善された時間追跡を可能にする。第１の数のＣＳＩ−ＲＳポートはＣＳＩ−ＲＳポートの第１のセットに対応し得、第２の数のＣＳＩ−ＲＳポート中の追加のＣＳＩ−ＲＳポートはＣＳＩ−ＲＳポートの第２のセットに対応し得、送信されたＲＢ中のＣＳＩ−ＲＳポートの第１のセットとＣＳＩ−ＲＳポートの第２のセットとに同じプリコーディングが適用され得る。ｅＮＢ９０２はＵＥ９０４に近接情報を送信し得る。近接情報は、ＵＥ９０４とｅＮＢ９０２との間の距離およびＵＥ９０４と第２のｅＮＢ９０６との間の距離、ｅＮＢ９０２からＵＥ９０４への伝搬時間および第２のｅＮＢ９０６からＵＥ９０４への伝搬時間、ｅＮＢ９０２からの距離と第２のｅＮＢ９０６からの距離との間の関係、またはｅＮＢ９０２からの伝搬時間と第２のｅＮＢ９０６からの伝搬時間との間の関係のうちの１つを含み得る。第１の数のＣＳＩ−ＲＳポートは第１の構成に対応し得、第１の数のＣＳＩ−ＲＳポートと比較した第２の数のＣＳＩ−ＲＳポート中の追加のＣＳＩ−ＲＳポートは第２の構成に対応し得、ｅＮＢ９０２は、第１の構成のみに対応するＣＳＩ−ＲＳポートを含む第２のＲＢを送信し得る。
【００７６】
第７の構成では、ＵＥ９０４は、少なくとも１つのＲＢ中のＵＥ−ＲＳとＣＳＩ−ＲＳとを受信し、受信したＵＥ−ＲＳとＣＳＩ−ＲＳとに基づいて時間追跡９１２を実行する。
【００７７】
ＵＥ−ＲＳベースのタイミング推定
多地点協調（ＣｏＭＰ）Ｔｘ／Ｒｘでは、制御とデータとが異なるセルから来ることがある。したがって、制御送信とデータ送信との間にタイミング差があり得る。時間追跡を実行するためにＣＲＳが使用される場合、制御チャネルが追跡され得、正確なタイミングを有し得る。しかしながら、データチャネルのタイミングは不整合になり得る。したがって、ＣＲＳの使用は、そのようなシナリオでは時間追跡に不適切であり得る。
【００７８】
一態様では、時間追跡を改善するためにＵＥ−ＲＳが使用され得る。ＵＥ−ＲＳはデータにバインドされるので、ＵＥ−ＲＳ信号は、データチャネルについてのタイミングを測定するために使用され得る。ＵＥ−ＲＳに基づく時間追跡は、アンテナポート７を介した送信とアンテナポート８を介した送信とが異なるタイミングを有するときに適用され得る。
【００７９】
原則として、時間領域におけるチャネルのタイミング誤差Δｔは、周波数領域における位相ランピング（phase ramping）に対応する。チャネルｈは以下の式によって定義され得る。
【数３】
0006755788.tif 000005
【００８０】
上式で、ｈ0は元のチャネルであり、ｋはリソースブロック（ＲＢ）インデックスであり、ｍはシンボルインデックスであり、ｎはトーンインデックスであり、ｎ0は加法性白色ガウス雑音（ＡＷＧＮ：additive white Gaussian noise）成分である。
【００８１】
図１０は、サブフレーム中のアンテナポート７および８を介して受信されたＵＥ−ＲＳ信号の位置を示す図１０００である。元のＵＥ−ＲＳ信号はｘとして定義され得、ｘは、１つのリソース上に多重化されたアンテナポート７送信とアンテナポート８送信とを有する多重化された信号である。アンテナポート７送信とアンテナポート８送信とは同じまたは異なる位相ランピングを有し得る。リソースペア（たとえば、同じトーンを有する、同じＲＢ内の隣接ＯＦＤＭシンボルのリソースのペア）について、各リソースは、以下の式によって定義される、多重化されたアンテナポート７送信とアンテナポート８送信とを有する元のＵＥ−ＲＳ信号ｘを受信し得る。
【数４】
0006755788.tif 000006
【数５】
0006755788.tif 000007
【００８２】
上式で、ｘ1は、リソースペアの第１のリソース中で受信された元のＵＥ−ＲＳ信号であり、ｘ2は、リソースペアの第２のリソース中で受信された元のＵＥ−ＲＳ信号であり、ｋはリソースブロック（ＲＢ）インデックスであり、ｍはシンボルインデックスであり、ｎはトーンインデックスであり、ｈ＿Ｐ７はアンテナポート７送信であり、ｈ＿Ｐ８はアンテナポート８送信である。
【００８３】
元のＵＥ−ＲＳ信号ｘが受信された後、ｘは多重化解除または逆拡散され得る。ｙは、逆拡散の後の受信したＵＥ−ＲＳ信号として定義され得る。上記の式（２）および式（３）に関して、リソースペアについて、各リソース中のｙの値は以下の式によって判断される。
【数６】
0006755788.tif 000008
【数７】
0006755788.tif 000009
【００８４】
上式で、ｙ1は、リソースペアの第１のリソース中の逆拡散されたＵＥ−ＲＳ信号の値であり、ｙ2は、リソースペアの第２のリソース中の逆拡散されたＵＥ−ＲＳ信号の値である。たとえば、図１０では、リソース１００２および１００８のペアについて、ｙ1は、リソース１００２中の逆拡散されたＵＥ−ＲＳ信号の値であり、ｙ2は、リソース１００８中の逆拡散されたＵＥ−ＲＳ信号の値である。
【００８５】
図１０を参照すると、元のＵＥ−ＲＳ信号が逆拡散された後、各ＲＢ中の合計６つのｙ値（すなわち、６つの逆拡散されたＵＥ−ＲＳ信号値）が判断され得る。たとえば、ＲＢ１では、ｙ値は、ＯＦＤＭシンボル５中のリソース１００２、１００４、および１００６において判断され、またＯＦＤＭシンボル６中のリソース１００８、１０１０、および１０１２において判断され得る。ＲＢ２では、ｙ値は、ＯＦＤＭシンボル５中のリソース１０１４、１０１６、および１０１８において判断され、またＯＦＤＭシンボル６中のリソース１０２０、１０２２、および１０２４において判断され得る。したがって、ＲＢ１とＲＢ２とを備えるサブフレームは合計１２個のｙ値を有し得る。
【００８６】
さらに、逆拡散されたＵＥ−ＲＳ信号値は特定のアンテナポートのチャネル推定のために使用され得る。たとえば、図１０を参照すると、ＲＢ１のＯＦＤＭシンボル５中のリソース１００２、１００４、および１００６におけるＵＥ−ＲＳ信号値と、ＲＢ２のＯＦＤＭシンボル５中のリソース１０１４、１０１６、および１０１８におけるＵＥ−ＲＳ信号値とは、アンテナポート７についてのチャネル推定のために使用され得る。また、ＲＢ１のＯＦＤＭシンボル６中のリソース１００８、１０１０、および１０１２におけるＵＥ−ＲＳ信号値と、ＲＢ２のＯＦＤＭシンボル６中のリソース１０２０、１０２２、および１０２４におけるＵＥ−ＲＳ信号値とは、アンテナポート８についてのチャネル推定のために使用され得る。
【００８７】
図１０では、ＯＦＤＭシンボル内で、各ＵＥ−ＲＳ信号は、最も近い隣接ＵＥ−ＲＳ信号から５トーンの距離だけ分離されることに留意されたい。一態様では、（位相ランピングなしの）元のチャネルｈ0は、ＯＦＤＭシンボル中の２つの隣接ＵＥ−ＲＳ信号値にわたって一定（７５ｋＨｚコヒーレント帯域幅）のままであると仮定される。したがって、ｈ0（ｋ，ｍ，ｎ）≒ｈ0（ｋ，ｍ，ｎ＋５）であり、ただし、ｋはリソースブロック（ＲＢ）インデックスであり、ｍはシンボルインデックスであり、ｎはトーンインデックスである。
【００８８】
その上、各ＯＦＤＭシンボル中に、等しいと仮定される３つのＵＥ−ＲＳ信号値があり、３つのＵＥ−ＲＳ信号値は２つのペアに対応する。たとえば、図１０では、ＲＢ１のＯＦＤＭシンボル５中のリソース１００２、１００４、および１００６におけるＵＥ−ＲＳ信号値は等しいと仮定され、２つのペアに対応する。第１のペアは、リソース１００２における第１のＵＥ−ＲＳ信号値とリソース１００４における第２のＵＥ−ＲＳ信号値とを含み得る。第２のペアは、リソース１００４における第２のＵＥ−ＲＳ信号値とリソース１００６における第３のＵＥ−ＲＳ信号値とを含み得る。同様のペアリング構成が、ＲＢ１のＯＦＤＭシンボル６ならびにＲＢ２のＯＦＤＭシンボル５および６中のＵＥ−ＲＳ信号値に適用される。
【００８９】
各ペア中の元のチャネルｈ0が一定であると仮定され、また第１のペアの第１のＵＥ−ＲＳ信号値と第２のＵＥ−ＲＳ信号値との間にタイミング誤差がない場合、チャネルは同じである。さらに、第２のペアの第２のＵＥ−ＲＳ信号値と第３のＵＥ−ＲＳ信号値との間にタイミング誤差がない場合、チャネルは同じである。したがって、以下の式によって定義される、ＯＦＤＭシンボル中のｙ値間の関係が引き出され得る。
【数８】
0006755788.tif 000010
【００９０】
上式で、ｋはリソースブロック（ＲＢ）インデックスであり、ｍはシンボルインデックスであり、ｎはトーンインデックスであり、ξは雑音成分である。式（６）は、タイミング推定を実行するために使用され得る。たとえば、式（６）から、ｙから周波数ランピング期間を推定する（たとえば、サンプルを構成する）ために最大比コンバイナ（ＭＲＣ：maximum ratio combiner）が使用され得る。
【００９１】
一構成では、ＵＥ９０４は、送信中の少なくとも１つのリソースブロックを受信し、少なくとも１つのリソースブロックの各々は、第１のアンテナポートに関連するＵＥ基準信号（ＵＥ−ＲＳ）の第１のグループを備える。ＵＥ９０４は、次いで、少なくとも１つのリソースブロックが１つまたは複数の他のアンテナポートに関連するＵＥ−ＲＳの第２のグループを備えるかどうかを判断し、ＵＥ−ＲＳの第１のグループに基づいて、および少なくとも１つのリソースブロックがＵＥ−ＲＳの第２のグループを備えると判断されたとき、ＵＥ−ＲＳの第２のグループにさらに基づいて、受信した少なくとも１つのリソースブロックを処理する。送信は、制御チャネル送信、データチャネル送信、またはそれらの組合せに関連し得る。
【００９２】
ＵＥ９０４は、チャネル推定またはタイミング推定のうちの少なくとも１つを実行するためにいくつかのサンプルを構成することによって、受信した少なくとも１つのリソースブロックを処理し得る。ＵＥ−ＲＳの第１のグループとＵＥ−ＲＳの第２のグループとは、同じ周波数時間リソースを共有するコード領域において多重化され得る。その上、ＵＥ−ＲＳの第１のグループとＵＥ−ＲＳの第２のグループとは直交周波数時間リソース中で送信され得る。また、ＵＥ−ＲＳの第１のグループとＵＥ−ＲＳの第２のグループとに同じプリコーディングが適用され得る。
【００９３】
ダウンリンク制御情報（ＤＣＩ：downlink control information）がランク２送信またはランク２よりも大きい送信をシグナリングする場合、第１のアンテナポートからの送信と１つまたは複数のアンテナポートからの送信とは、同じ発展型ノードＢ（ｅＮＢ）から来ており、したがって、共通の位相ランピングを有する。したがって、ＵＥ９０４は、少なくとも１つのリソースブロックがＵＥ−ＲＳの第２のグループを備えると判断し、少なくとも１つのリソースブロックの各々について、第１のアンテナポートに関連するＵＥ−ＲＳの第１のグループに基づくサンプルと、１つまたは複数の他のアンテナポートに関連するＵＥ−ＲＳの第２のグループに基づくサンプルとを構成する。その後、ＵＥ９０４は、ＵＥ−ＲＳの第１のグループに基づいて、およびＵＥ−ＲＳの第２のグループに基づいて、合成サンプルを処理することによって、受信した少なくとも１つのリソースブロックを処理する。
【００９４】
ＤＣＩがランク１送信をシグナリングする場合、ＵＥ９０４は、送信がシングルユーザ送信であるのかマルチユーザ送信であるのかを判断する。ＵＥ９０４は、シングルユーザ送信とマルチユーザ送信とを区別するためにシングルユーザ／マルチユーザ検出器を利用し得る。場合によっては、ＵＥ９０４は、シングルユーザ送信またはマルチユーザ送信のいずれかを示す、ｅＮＢから受信したビットに従って、送信がシングルユーザ送信であることまたはマルチユーザ送信であることを判断し得る。
【００９５】
ＵＥ９０４が、送信がシングルユーザ送信であると判断したとき、ＵＥ９０４は、少なくとも１つのリソースブロックが、第２のアンテナポートに関連するＵＥ−ＲＳの第２のグループを備えないと判断する。したがって、ＵＥ９０４は、少なくとも１つのリソースブロックの各々について、第１のアンテナポートに関連するＵＥ−ＲＳの第１のグループに基づいてサンプルを構成する。その後、ＵＥ９０４は、第１のアンテナポートに関連するＵＥ−ＲＳの第１のグループに基づいて、構成されたサンプルを処理することによって、受信した少なくとも１つのリソースブロックを処理する。
【００９６】
ＵＥ９０４が、送信がマルチユーザ送信であると判断したとき、ＵＥ９０４は、少なくとも１つのリソースブロックが、第２のアンテナポートに関連するＵＥ−ＲＳの第２のグループを備えると判断する。ここで、第１のアンテナポートを介して受信された送信と第２のアンテナポートを介して受信された送信とは、異なるｅＮＢから来ていることがあり、したがって異なる位相ランピングを有し得る。したがって、それらの送信は合成され得ないので、第１のアンテナポートに関連する送信と第２のアンテナポートに関連する送信とは別々に推定されるべきである。したがって、ＵＥ９０４は、さらに、ＵＥ−ＲＳの第１のグループとＵＥ−ＲＳの第２のグループとが、同じｅＮＢから受信されたのか異なるｅＮＢから受信されたのかを判断する。ＵＥ９０４は、ＵＥ−ＲＳの第１のグループとＵＥ−ＲＳの第２のグループとが、同じｅＮＢから受信されたのか異なるｅＮＢから受信されたのかを判断するために、シングルユーザ／マルチユーザ検出器を利用し得る。
【００９７】
ＵＥ−ＲＳの第１のグループとＵＥ−ＲＳの第２のグループとが同じｅＮＢから受信されたとき、ＵＥ９０４は、少なくとも１つのリソースブロックの各々について、第１のアンテナポートに関連するＵＥ−ＲＳの第１のグループに基づくサンプルと、第２のアンテナポートに関連するＵＥ−ＲＳの第２のグループに基づくサンプルとを構成する。その後、ＵＥ９０４は、ＵＥ−ＲＳの第１のグループに基づいて、およびＵＥ−ＲＳの第２のグループに基づいて、合成サンプルを処理することによって、受信した少なくとも１つのリソースブロックを処理する。
【００９８】
ＵＥ−ＲＳの第１のグループとＵＥ−ＲＳの第２のグループとが異なるｅＮＢから受信されたとき、ＵＥ９０４は、少なくとも１つのリソースブロックの各々について、第１のアンテナポートに関連するＵＥ−ＲＳの第１のグループに基づいてサンプルを構成する。その後、ＵＥ９０４は、第１のアンテナポートに関連するＵＥ−ＲＳの第１のグループに基づいて、構成されたサンプルを処理することによって、受信した少なくとも１つのリソースブロックを処理する。
【００９９】
代替として、ＵＥ−ＲＳの第１のグループとＵＥ−ＲＳの第２のグループとが異なるｅＮＢから受信されたとき、ＵＥ９０４は、少なくとも１つのリソースブロックの各々について、第２のアンテナポートに関連するＵＥ−ＲＳの第２のグループに基づいてサンプルを構成する。その後、ＵＥ９０４は、第２のアンテナポートに関連するＵＥ−ＲＳの第２のグループに基づいて、構成されたサンプルを処理することによって、受信した少なくとも１つのリソースブロックを処理する。
【０１００】
図１１は、ワイヤレス通信の方法のフローチャート１１００である。本方法はｅＮＢによって実行され得る。ステップ１１０２において、ｅＮＢはダウンリンク送信のための変調次数を判断する。
【０１０１】
ステップ１１０４において、ｅＮＢは、ダウンリンク割当てにおいてユーザ機器（ＵＥ）に割り振られ得るリソースブロックの数をＮよりも大きいかまたはそれに等しくなるように制限し、ただし、Ｎは１よりも大きい。制限は、判断された変調次数に基づき得る。たとえば、ｅＮＢは、変調次数がしきい値よりも大きいときのみ、ダウンリンク割当てにおいてＵＥに割り振られ得るリソースブロックの数を２よりも大きいかまたはそれに等しくなるように制限し得る。
【０１０２】
ステップ１１０６において、ｅＮＢは、ダウンリンク割当てに対応するダウンリンク送信をＵＥに送信する。
【０１０３】
図１２は、ワイヤレス通信の方法のフローチャート１２００である。本方法はＵＥによって実行され得る。ステップ１２０２において、ＵＥは、多地点協調（ＣｏＭＰ：cooperative multipoint）送信をサポートする送信モードを使用して送信を受信するための構成を受信する。
【０１０４】
ステップ１２０４において、ＵＥは、送信中の複数のリソースブロックを受信する。複数のリソースブロックはプリコーディングリソースブロックグループ（ＰＲＧ）を含み得る。
【０１０５】
ステップ１２０６において、ＵＥは、ＰＲＧ中のリソースブロックの送信のための仮定された同じプリコーディングに基づいてユーザ機器固有基準信号（ＵＥ−ＲＳ）を復号する。その後、ステップ１２０８において、ＵＥは、ＰＲＧ中の復号されたＵＥ−ＲＳに基づいて時間追跡を実行する。
【０１０６】
図１３は、ワイヤレス通信の方法のフローチャート１３００である。本方法はＵＥによって実行され得る。ステップ１３０２において、ＵＥは、送信中の少なくとも１つのリソースブロックを受信する。送信はランク１送信またはランク２送信であり得る。少なくとも１つのリソースブロックの各々はユーザ機器固有基準信号（ＵＥ−ＲＳ）の第１のセットを含み得る。
【０１０７】
ステップ１３０４において、ＵＥは、少なくとも１つのリソースブロックのリソースブロックがＵＥ−ＲＳの第２のセットを含むかどうかを判断する。一態様では、少なくとも１つのリソースブロックのリソースブロックがＵＥ−ＲＳの第２のセットを含むかどうかの判断は、少なくとも１つのリソースブロックがそのリソースブロックだけを備えるときのみ実行される。別の態様では、判断は、リソースブロックがＵＥ−ＲＳの第２のセットを含むかどうかを判断するためにブラインド検出を実行することを含む。さらなる態様では、判断は、ｅＮＢから、リソースブロックがＵＥ−ＲＳの第２のセットを含むかどうかを示す情報を受信することを含む。
【０１０８】
ステップ１３０６において、ＵＥは、ＵＥ−ＲＳの第１のセットに基づいて、およびリソースブロックがＵＥ−ＲＳの第２のセットを備えると判断されたとき、ＵＥ−ＲＳの第２のセットに基づいて、時間追跡を実行する。
【０１０９】
一態様では、送信はＵＥ用であり得、ＵＥ−ＲＳの第１のセットはＵＥ用であり得、ＵＥ−ＲＳの第２のセットは別のＵＥ用であるかまたは他のいかなるＵＥ用でもないことがある。したがって、ＵＥ−ＲＳの第１のセットとＵＥ−ＲＳの第２のセットとは異なるプリコーディングを有し得る。代替として、ＵＥ−ＲＳの第１のセットとＵＥ−ＲＳの第２のセットとは同じプリコーディングを有し得る。
【０１１０】
図１４は、ワイヤレス通信の方法のフローチャート１４００である。本方法はｅＮＢによって実行され得る。ステップ１４０２において、ｅＮＢは、ランク１送信またはランク２送信のうちの１つを受信するようにユーザ機器（ＵＥ）を構成する。
【０１１１】
ステップ１４０４において、ｅＮＢは、４つのアンテナポートを用いてリソースブロックを送信することを判断する。ステップ１４０６において、ｅＮＢは４つのアンテナポートを選択する。選択された４つのアンテナポートは、アンテナポート７、８、１１、および１３であり得る。代替として、選択された４つのアンテナポートは、アンテナポート９、１０、１２、および１４であり得る。
【０１１２】
ステップ１４０８において、ｅＮＢはＵＥにリソースブロックを送信する。リソースブロックは、ユーザ機器固有基準信号（ＵＥ−ＲＳ）の第１のセットとＵＥ−ＲＳの第２のセットとを含み得る。ＵＥ−ＲＳの第１のセットとＵＥ−ＲＳの第２のセットとのうちの一方はＵＥ用であり得る。ＵＥ−ＲＳの第１のセットとＵＥ−ＲＳの第２のセットとのうちの他方は、別のＵＥ用であるかまたは他のいかなるＵＥ用でもないことがある。
【０１１３】
ＵＥ−ＲＳの第１のセットは１２個のＵＥ−ＲＳを含み得、ＵＥ−ＲＳの第２のセットは１２個のＵＥ−ＲＳを含み得、ＵＥ−ＲＳは合計２４個になる。リソースブロックは、リソースブロックのセットとともに送信され得る。その上、ＵＥ−ＲＳの第２のセットは、リソースブロックのセット中のリソースブロックの数がしきい値数よりも少ないとき、少なくとも１つのＵＥ−ＲＳを含み得る。
【０１１４】
一態様では、ＵＥ−ＲＳの第１のセットとＵＥ−ＲＳの第２のセットとのために同じプリコーディングが使用され得る。代替として、ＵＥ−ＲＳの第１のセットとＵＥ−ＲＳの第２のセットとのために異なるプリコーディングが使用され得、ＵＥ−ＲＳの第１のセットとＵＥ−ＲＳの第２のセットとのうちの他方は他のＵＥ用である。
【０１１５】
さらなる態様では、アンテナポート７、８、１１、および１３は、ＵＥ−ＲＳの第１のセットへのＵＥ−ＲＳのマッピングを与え、ＵＥ−ＲＳの第１のセットはＵＥ用であり、ＵＥ−ＲＳの第２のセットは他のいかなるＵＥ用でもない。したがって、ｅＮＢは、ＵＥがＵＥ−ＲＳの第１のセットとＵＥ−ＲＳの第２のセットの両方に基づいて時間追跡を実行することを可能にするために、リソースブロック中にＵＥ−ＲＳの第２のセットを含め得る。
【０１１６】
別の態様では、アンテナポート９、１０、１２、および１４は、ＵＥ−ＲＳの第２のセットへのＵＥ−ＲＳのマッピングを与え、ＵＥ−ＲＳの第２のセットはＵＥ用であり、ＵＥ−ＲＳの第１のセットは他のいかなるＵＥ用でもない。したがって、ｅＮＢは、ＵＥがＵＥ−ＲＳの第１のセットとＵＥ−ＲＳの第２のセットの両方に基づいて時間追跡を実行することを可能にするために、リソースブロック中にＵＥ−ＲＳの第１のセットを含め得る。
【０１１７】
図１５は、ワイヤレス通信の方法のフローチャート１５００である。本方法はＵＥによって実行され得る。ステップ１５０２において、ＵＥは、少なくとも１つのリソースブロックの各リソースブロック中に第１の数のチャネル状態情報基準信号（ＣＳＩ−ＲＳ）ポートがある、少なくとも１つのリソースブロックを受信するための構成を受信する。ステップ１５０４において、ＵＥは、送信中の少なくとも１つのリソースブロックを受信する。
【０１１８】
ステップ１５０６において、ＵＥは、少なくとも１つのリソースブロックのリソースブロックが、第１の数のＣＳＩ−ＲＳポートよりも多い第２の数のＣＳＩ−ＲＳポートを含むと仮定する。ＵＥは、少なくとも１つのリソースブロックがしきい値数よりも少ないリソースブロックを備え、ＣＳＩ−ＲＳポートの第１の数がＣＳＩ−ＲＳポートのしきい値数よりも少ないとき、リソースブロックが第２の数のＣＳＩ−ＲＳポートを備えると仮定する。
【０１１９】
ステップ１５０８において、ＵＥは、第２の数のＣＳＩ−ＲＳポートが、少なくとも、第１のｅＮＢによって送信されたＣＳＩ−ＲＳポートの第１のセットと、第２のｅＮＢによって送信されたＣＳＩ−ＲＳポートの第２のセットとを備えるかどうかを判断する。否定の結果に基づいて、ＵＥは、仮定された第２の数のＣＳＩ−ＲＳポートに対応するリソース要素中の信号に基づいて時間追跡を実行するために、ステップ１５１２に進む。
【０１２０】
ステップ１５１０において、ステップ１５０８における肯定の結果に基づいて、ＵＥはサービングｅＮＢから近接情報を受信する。近接情報は、第１のｅＮＢおよび第２のｅＮＢの各々からの距離、第１のｅＮＢおよび第２のｅＮＢの各々からの伝搬時間、第１のｅＮＢからの距離と第２のｅＮＢからの距離との間の関係、または第１のｅＮＢからの伝搬時間と第２のｅＮＢからの伝搬時間との間の関係のうちの１つを示し得る。その後、ステップ１５１２において、ＵＥは、受信した近接情報にさらに基づいて時間追跡を実行する。
【０１２１】
図１６は、ワイヤレス通信の方法のフローチャート１６００である。本方法はｅＮＢによって実行され得る。ステップ１６０２において、ｅＮＢは、第１の数のチャネル状態情報基準信号（ＣＳＩ−ＲＳ）ポートを受信するようにユーザ機器（ＵＥ）を構成する。
【０１２２】
ステップ１６０４において、ｅＮＢは、第１の数のＣＳＩ−ＲＳポートよりも多い第２の数のＣＳＩ−ＲＳポートを備えるリソースブロックをＵＥに送信する。第２の数のＣＳＩ−ＲＳポートは、ＵＥによる改善された時間追跡を可能にする。一態様では、第１の数のＣＳＩ−ＲＳポートはＣＳＩ−ＲＳポートの第１のセットに対応し、第２の数のＣＳＩ−ＲＳポート中の追加のＣＳＩ−ＲＳポートはＣＳＩ−ＲＳポートの第２のセットに対応し、送信されたリソースブロック中のＣＳＩ−ＲＳポートの第１のセットとＣＳＩ−ＲＳポートの第２のセットとに同じプリコーディングが適用される。
【０１２３】
ステップ１６０６において、ｅＮＢはＵＥに近接情報を送信する。近接情報は、ＵＥとｅＮＢとの間の距離およびＵＥと第２のｅＮＢとの間の距離、ｅＮＢからＵＥへの伝搬時間および第２のｅＮＢからＵＥへの伝搬時間、ｅＮＢからの距離と第２のｅＮＢからの距離との間の関係、またはｅＮＢからの伝搬時間と第２のｅＮＢからの伝搬時間との間の関係のうちの１つを含み得る。
【０１２４】
一態様では、第１の数のＣＳＩ−ＲＳポートは第１の構成に対応し得、第１の数のＣＳＩ−ＲＳポートと比較した第２の数のＣＳＩ−ＲＳポート中の追加のＣＳＩ−ＲＳポートは第２の構成に対応し得る。したがって、ステップ１６０８において、ｅＮＢは、第１の構成のみに対応するＣＳＩ−ＲＳポートを備える第２のリソースブロックを送信する。
【０１２５】
図１７は、ワイヤレス通信の方法のフローチャート１７００である。本方法はＵＥによって実行され得る。ステップ１７０２において、ＵＥは、少なくとも１つのリソースブロック中のユーザ機器固有基準信号（ＵＥ−ＲＳ）とチャネル状態情報基準信号（ＣＳＩ−ＲＳ）とを受信する。ステップ１７０４において、ＵＥは、受信したＵＥ−ＲＳとＣＳＩ−ＲＳとに基づいて時間追跡を実行する。
【０１２６】
図１８は、ワイヤレス通信の方法のフローチャート１８００である。本方法はＵＥによって実行され得る。ステップ１８０２において、ＵＥは、多地点協調（ＣｏＭＰ）送信をサポートする送信モードを使用して送信を受信するための構成を受信する。ステップ１８０４において、ＵＥは、送信中の少なくとも１つのリソースブロックを受信する。少なくとも１つのリソースブロックは、ＵＥに固有の、基準信号（ＲＳ）の第１のセットを含む。
【０１２７】
ステップ１８０６において、ＵＥは、ＵＥに固有の、ＲＳの第２のセットが送信中で利用可能であるかどうかを判断する。判断動作は、ＵＥが、ＲＳの第２のセットの利用可能性を判断するためにブラインド検出を実行することを含み得る。代替として、判断動作は、ＵＥが、発展型ノードＢ（ｅＮＢ）から、ＲＳの第２のセットが利用可能であるか否かを示す情報を受信することを含み得る。
【０１２８】
ステップ１８０８において、ＵＥはｅＮＢから近接情報を受信する。近接情報は、ＲＳの第１のセットとＲＳの第２のセットとの伝搬時間差を含み得る。その後、ステップ１８１０において、ＵＥは、ＲＳの第１のセットに基づいて、およびＲＳの第２のセットが利用可能であると判断された場合、ＲＳの第２のセットにさらに基づいて、受信した少なくとも１つのリソースブロックを処理する。処理は、チャネル推定および／またはタイミング推定を実行することを含み得る。
【０１２９】
一態様では、ＲＳの第１のセットとＲＳの第２のセットとは復調のためのＵＥ固有ＲＳ（ＵＥ−ＲＳ）である。ＵＥ−ＲＳの第１のセットとＵＥ−ＲＳの第２のセットとは異なるプリコーディングまたは同じプリコーディングを有し得る。ＵＥ−ＲＳの第２のセットが少なくとも１つのリソースブロック内に含まれているとき、ＵＥ−ＲＳの第２のセットの利用可能性が判断され得る。代替として、ＵＥ−ＲＳの第２のセットを備えるリソースブロックが少なくとも１つのリソースブロックと同じプリコーディングリソースブロックグループ（ＰＲＧ）に関連するとき、ＵＥ−ＲＳの第２のセットの利用可能性が判断され得る。別の態様では、送信はＵＥ用であり得、ＵＥ−ＲＳの第１のセットはＵＥ用であり得、ＵＥ−ＲＳの第２のセットは別のＵＥ用であるかまたは他のいかなるＵＥ用でもないことがある。
【０１３０】
さらなる態様では、ＲＳの第１のセットとＲＳの第２のセットとはチャネル状態情報基準信号（ＣＳＩ−ＲＳ）である。ＣＳＩ−ＲＳの第１のセットとＣＳＩ−ＲＳの第２のセットとは異なるリソースに関連し得る。代替として、ＣＳＩ−ＲＳの第１のセットとＣＳＩ−ＲＳの第２のセットとは、同じリソースのセットに関連し得るが、異なるアンテナポートに関連し得る。その上、送信されたリソースブロック中のＣＳＩ−ＲＳポートの第１のセットとＣＳＩ−ＲＳポートの第２のセットとに同じプリコーディングが適用され得る。
【０１３１】
また別の態様では、ＲＳの第１のセットは復調のためのＵＥ固有ＲＳ（ＵＥ−ＲＳ）を含み得、ＲＳの第２のセットはチャネル状態情報基準信号（ＣＳＩ−ＲＳ）を含み得る。
【０１３２】
図１９は、ワイヤレス通信の方法のフローチャート１９００である。本方法は発展型ノードＢ（ｅＮＢ）によって実行され得る。ステップ１９０２において、ｅＮＢは、送信を受信するようにユーザ機器（ＵＥ）を構成する。これは、ｅＮＢが、多地点協調（ＣｏＭＰ）送信をサポートする送信モードを使用して送信を受信するための構成をＵＥに送信することを含み得る。
【０１３３】
ステップ１９０４において、ｅＮＢは、送信中でＵＥに少なくとも１つリソースブロックを送信する。少なくとも１つのリソースブロックは、ＵＥに固有の、基準信号（ＲＳ）の第１のセットを含む。ステップ１９０６において、ｅＮＢは、送信中にＲＳの第２のセットを与える。
【０１３４】
ステップ１９０８において、ｅＮＢは、ＲＳの第２のセットがＵＥにとって利用可能であるか否かを示す情報をＵＥに送信する。ステップ１９１０において、ｅＮＢはまた、ＵＥに近接情報を送信する。近接情報は、ＲＳの第１のセットとＲＳの第２のセットとの伝搬時間差を含む。したがって、ＵＥは、ＲＳの第１のセットに基づいて、およびＲＳの第２のセットがＵＥにとって利用可能である場合、ＲＳの第２のセットにさらに基づいて、チャネル推定および／またはタイミング推定を実行し得る。
【０１３５】
一態様では、ＲＳの第１のセットとＲＳの第２のセットとは復調のためのＵＥ固有ＲＳ（ＵＥ−ＲＳ）である。ＵＥ−ＲＳの第１のセットとＵＥ−ＲＳの第２のセットとは異なるプリコーディングまたは同じプリコーディングを有し得る。ＵＥ−ＲＳの第２のセットが少なくとも１つのリソースブロック内に含まれているとき、ＵＥ−ＲＳの第２のセットはＵＥにとって利用可能であり得る。代替として、ＵＥ−ＲＳの第２のセットを備えるリソースブロックが少なくとも１つのリソースブロックと同じプリコーディングリソースブロックグループ（ＰＲＧ）に関連するとき、ＵＥ−ＲＳの第２のセットはＵＥにとって利用可能であり得る。別の態様では、送信はＵＥ用であり得、ＵＥ−ＲＳの第１のセットはＵＥ用であり得、ＵＥ−ＲＳの第２のセットは別のＵＥ用であるかまたは他のいかなるＵＥ用でもないことがある。
【０１３６】
さらなる態様では、ＲＳの第１のセットとＲＳの第２のセットとはチャネル状態情報基準信号（ＣＳＩ−ＲＳ）である。ＣＳＩ−ＲＳの第１のセットとＣＳＩ−ＲＳの第２のセットとは異なるリソースに関連し得る。代替として、ＣＳＩ−ＲＳの第１のセットとＣＳＩ−ＲＳの第２のセットとは、同じリソースのセットに関連し得るが、異なるアンテナポートに関連し得る。その上、送信されたリソースブロック中のＣＳＩ−ＲＳポートの第１のセットとＣＳＩ−ＲＳポートの第２のセットとに同じプリコーディングが適用され得る。
【０１３７】
また別の態様では、ＲＳの第１のセットは復調のためのＵＥ固有ＲＳ（ＵＥ−ＲＳ）を含み、ＲＳの第２のセットはチャネル状態情報基準信号（ＣＳＩ−ＲＳ）を含む。
【０１３８】
図２０は、例示的な装置２００２中の異なるモジュール／手段／構成要素間のデータフローを示す概念データフロー図２０００である。本装置はｅＮＢであり得る。本装置は、受信モジュール２００４と、変調次数判断モジュール２００６と、リソースブロック処理モジュール２００８と、データ処理モジュール２０１０と、ランク構成モジュール２０１２と、ポート処理モジュール２０１４と、基準信号処理モジュール２０１６と、近接情報モジュール２０１８と、送信モジュール２０２０とを含む。
【０１３９】
変調次数判断モジュール２００６は、ダウンリンク送信のための変調次数を判断し得る。リソースブロック処理モジュール２００８は、ダウンリンク割当てにおいてユーザ機器（ＵＥ）２０５０に割り振られ得るリソースブロックの数をＮよりも大きいかまたはそれに等しくなるように制限し、ただし、Ｎは１よりも大きい。制限は、変調次数判断モジュール２００６によって判断された変調次数に基づき得る。たとえば、リソースブロック処理モジュール２００８は、変調次数がしきい値よりも大きいときのみ、ダウンリンク割当てにおいてＵＥ２０５０に割り振られ得るリソースブロックの数を２よりも大きいかまたはそれに等しくなるように制限し得る。データ処理モジュール２０１０は、ダウンリンク割当てに対応するダウンリンク送信をＵＥ２０５０に送信し得る。
【０１４０】
ランク構成モジュール２０１２は、ランク１送信またはランク２送信のうちの１つを受信するようにＵＥ２０５０を構成する。リソースブロック処理モジュール２００８は、４つのアンテナポートを用いてリソースブロックを送信することを判断し得る。したがって、ポート処理モジュール２０１４は４つのアンテナポートを選択する。選択された４つのアンテナポートは、アンテナポート７、８、１１、および１３であり得る。代替として、選択された４つのアンテナポートは、アンテナポート９、１０、１２、および１４であり得る。
【０１４１】
リソースブロック処理モジュール２００８は、送信モジュール２０２０を介してＵＥ２０５０にリソースブロックを送信する。リソースブロックは、基準信号処理モジュール２０１６によって生成されたユーザ機器固有基準信号（ＵＥ−ＲＳ）の第１のセットとＵＥ−ＲＳの第２のセットとを含み得る。ＵＥ−ＲＳの第１のセットとＵＥ−ＲＳの第２のセットとのうちの一方はＵＥ２０５０用であり得る。ＵＥ−ＲＳの第１のセットとＵＥ−ＲＳの第２のセットとのうちの他方は、別のＵＥ用であるかまたは他のいかなるＵＥ用でもないことがある。
【０１４２】
ＵＥ−ＲＳの第１のセットは１２個のＵＥ−ＲＳを含み得、ＵＥ−ＲＳの第２のセットは１２個のＵＥ−ＲＳを含み得、ＵＥ−ＲＳは合計２４個になる。リソースブロックは、リソースブロックのセットとともに送信され得る。その上、ＵＥ−ＲＳの第２のセットは、リソースブロックのセット中のリソースブロックの数がしきい値数よりも少ないとき、少なくとも１つのＵＥ−ＲＳを含み得る。
【０１４３】
一態様では、ＵＥ−ＲＳの第１のセットとＵＥ−ＲＳの第２のセットとのために同じプリコーディングが使用され得る。代替として、ＵＥ−ＲＳの第１のセットとＵＥ−ＲＳの第２のセットとのために異なるプリコーディングが使用され得、ＵＥ−ＲＳの第１のセットとＵＥ−ＲＳの第２のセットとのうちの他方は他のＵＥ用である。
【０１４４】
さらなる態様では、アンテナポート７、８、１１、および１３は、ＵＥ−ＲＳの第１のセットへのＵＥ−ＲＳのマッピングを与え、ＵＥ−ＲＳの第１のセットはＵＥ２０５０用であり、ＵＥ−ＲＳの第２のセットは他のいかなるＵＥ用でもない。したがって、リソースブロック処理モジュール２００８は、ＵＥ２０５０がＵＥ−ＲＳの第１のセットとＵＥ−ＲＳの第２のセットの両方に基づいて時間追跡を実行することを可能にするために、リソースブロック中にＵＥ−ＲＳの第２のセットを含め得る。
【０１４５】
別の態様では、アンテナポート９、１０、１２、および１４は、ＵＥ−ＲＳの第２のセットへのＵＥ−ＲＳのマッピングを与え、ＵＥ−ＲＳの第２のセットはＵＥ２０５０用であり、ＵＥ−ＲＳの第１のセットは他のいかなるＵＥ用でもない。したがって、リソースブロック処理モジュール２００８は、ＵＥ２０５０がＵＥ−ＲＳの第１のセットとＵＥ−ＲＳの第２のセットの両方に基づいて時間追跡を実行することを可能にするために、リソースブロック中にＵＥ−ＲＳの第１のセットを含め得る。
【０１４６】
基準信号処理モジュール２０１６は、第１の数のチャネル状態情報基準信号（ＣＳＩ−ＲＳ）ポートを受信するようにＵＥ２０５０を構成する。リソースブロック処理モジュール２００８は、第１の数のＣＳＩ−ＲＳポートよりも多い第２の数のＣＳＩ−ＲＳポートを備えるリソースブロックをＵＥ２０５０に送信する。第２の数のＣＳＩ−ＲＳポートは、ＵＥ２０５０による改善された時間追跡を可能にする。一態様では、第１の数のＣＳＩ−ＲＳポートはＣＳＩ−ＲＳポートの第１のセットに対応し、第２の数のＣＳＩ−ＲＳポート中の追加のＣＳＩ−ＲＳポートはＣＳＩ−ＲＳポートの第２のセットに対応し、送信されたリソースブロック中のＣＳＩ−ＲＳポートの第１のセットとＣＳＩ−ＲＳポートの第２のセットとに同じプリコーディングが適用される。
【０１４７】
近接情報モジュール２０１８は、受信モジュール２００４を通して受信された信号を介して近接情報を判断し得、近接情報をＵＥ２０５０に送信する。近接情報は、ＵＥ２０５０と装置２００２との間の距離およびＵＥ２０５０と別のｅＮＢとの間の距離、装置２００２からＵＥ２０５０への伝搬時間および他のｅＮＢからＵＥ２０５０への伝搬時間、装置２００２からの距離と他のｅＮＢからの距離との間の関係、または装置２００２からの伝搬時間と他のｅＮＢからの伝搬時間との間の関係のうちの１つを含み得る。
【０１４８】
一態様では、第１の数のＣＳＩ−ＲＳポートは第１の構成に対応し得、第１の数のＣＳＩ−ＲＳポートと比較した第２の数のＣＳＩ−ＲＳポート中の追加のＣＳＩ−ＲＳポートは第２の構成に対応し得る。したがって、リソースブロック処理モジュール２００８は、第１の構成のみに対応するＣＳＩ−ＲＳポートを備える第２のリソースブロックを送信し得る。
【０１４９】
一態様では、ランク構成モジュール２０１２および／または変調次数判断モジュール２００６は、送信を受信するようにユーザ機器（ＵＥ）２０５０を構成する。これは、送信モジュール２０２０が、多地点協調（ＣｏＭＰ）送信をサポートする送信モードを使用して送信を受信するための構成をＵＥ２０５０に送信することを含み得る。
【０１５０】
リソースブロック処理モジュール２００８は、送信中で少なくとも１つのリソースブロックを（送信モジュール２０２０を介して）ＵＥ２０５０に送信する。少なくとも１つのリソースブロックは、ＵＥ２０５０に固有の、基準信号（ＲＳ）の第１のセットを含む。リソースブロック処理モジュール２００８はまた、送信中にＲＳの第２のセットを与える。
【０１５１】
基準信号処理モジュール２０１６は、ＲＳの第２のセットがＵＥ２０５０にとって利用可能であるか否かを示す情報を（送信モジュール２０２０を介して）ＵＥ２０５０に送信し得る。また、近接情報モジュール２０１８はＵＥ２０５０に近接情報を送信し得る。近接情報は、ＲＳの第１のセットとＲＳの第２のセットとの伝搬時間差を含む。したがって、ＵＥ２０５０は、ＲＳの第１のセットに基づいて、およびＲＳの第２のセットがＵＥ２０５０にとって利用可能である場合、ＲＳの第２のセットにさらに基づいて、チャネル推定および／またはタイミング推定を実行し得る。
【０１５２】
一態様では、ＲＳの第１のセットとＲＳの第２のセットとは復調のためのＵＥ固有ＲＳ（ＵＥ−ＲＳ）である。ＵＥ−ＲＳの第１のセットとＵＥ−ＲＳの第２のセットとは異なるプリコーディングまたは同じプリコーディングを有し得る。ＵＥ−ＲＳの第２のセットが少なくとも１つのリソースブロック内に含まれているとき、ＵＥ−ＲＳの第２のセットはＵＥ２０５０にとって利用可能であり得る。代替として、ＵＥ−ＲＳの第２のセットを備えるリソースブロックが少なくとも１つのリソースブロックと同じプリコーディングリソースブロックグループ（ＰＲＧ）に関連するとき、ＵＥ−ＲＳの第２のセットはＵＥ２０５０にとって利用可能であり得る。別の態様では、送信はＵＥ２０５０用であり得、ＵＥ−ＲＳの第１のセットはＵＥ２０５０用であり得、ＵＥ−ＲＳの第２のセットは別のＵＥ用であるかまたは他のいかなるＵＥ用でもないことがある。
【０１５３】
さらなる態様では、ＲＳの第１のセットとＲＳの第２のセットとはチャネル状態情報基準信号（ＣＳＩ−ＲＳ）である。ＣＳＩ−ＲＳの第１のセットとＣＳＩ−ＲＳの第２のセットとは異なるリソースに関連し得る。代替として、ＣＳＩ−ＲＳの第１のセットとＣＳＩ−ＲＳの第２のセットとは、同じリソースのセットに関連し得るが、異なるアンテナポートに関連し得る。その上、送信されたリソースブロック中のＣＳＩ−ＲＳポートの第１のセットとＣＳＩ−ＲＳポートの第２のセットとに同じプリコーディングが適用され得る。
【０１５４】
また別の態様では、ＲＳの第１のセットは復調のためのＵＥ固有ＲＳ（ＵＥ−ＲＳ）を含み、ＲＳの第２のセットはチャネル状態情報基準信号（ＣＳＩ−ＲＳ）を含む。
【０１５５】
本装置は、図１１、図１４、図１６、および図１９の上述のフローチャート中のアルゴリズムのステップの各々を実行する追加のモジュールを含み得る。したがって、図１１、図１４、図１６、および図１９の上述のフローチャート中の各ステップは１つのモジュールによって実行され得、本装置は、それらのモジュールのうちの１つまたは複数を含み得る。それらのモジュールは、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【０１５６】
図２１は、例示的な装置２１０２中の異なるモジュール／手段／構成要素間のデータフローを示す概念データフロー図２１００である。本装置はＵＥであり得る。本装置は、受信モジュール２１０４と、リソースブロック処理モジュール２１０６と、基準信号処理モジュール２１０８と、チャネル／タイミング推定モジュール２１１０と、ポート処理モジュール２１１２と、近接情報モジュール２１１４と、送信モジュール２１１６とを含む。
【０１５７】
一態様では、受信モジュール２１０４は、多地点協調（ＣｏＭＰ）送信をサポートする送信モードを使用して送信を受信するための構成を受信し得る。したがって、リソースブロック処理モジュール２１０６は、送信中の複数のリソースブロックを（受信モジュール２１０４を介して）受信し得る。複数のリソースブロックはプリコーディングリソースブロックグループ（ＰＲＧ）を含み得る。基準信号処理モジュール２１０８は、次いで、ＰＲＧ中のリソースブロックの送信のための仮定された同じプリコーディングに基づいてユーザ機器固有基準信号（ＵＥ−ＲＳ）を復号し得る。その後、チャネル／タイミング推定モジュール２１１０は、基準信号処理モジュール２１０８によって復号されたＰＲＧ中のＵＥ−ＲＳに基づいて時間追跡を実行する。
【０１５８】
別の態様では、リソースブロック処理モジュール２１０６は、送信中の少なくとも１つのリソースブロックを受信し得る。送信はランク１送信またはランク２送信であり得る。その上、少なくとも１つのリソースブロックの各々はユーザ機器固有基準信号（ＵＥ−ＲＳ）の第１のセットを含み得る。基準信号処理モジュール２１０８は、少なくとも１つのリソースブロックのリソースブロックがＵＥ−ＲＳの第２のセットを含むかどうかを判断し得る。少なくとも１つのリソースブロックのリソースブロックがＵＥ−ＲＳの第２のセットを含むかどうかの判断は、少なくとも１つのリソースブロックがそのリソースブロックだけを備えるときのみ実行され得る。代替として、判断は、リソースブロックがＵＥ−ＲＳの第２のセットを含むかどうかを判断するためにブラインド検出を実行することを含み得る。別の代替では、判断は、ｅＮＢ２１５０から、リソースブロックがＵＥ−ＲＳの第２のセットを含むかどうかを示す情報を受信することを含み得る。チャネル／タイミング推定モジュール２１１０は、ＵＥ−ＲＳの第１のセットに基づいて、およびリソースブロックがＵＥ−ＲＳの第２のセットを含むと判断されたとき、ＵＥ−ＲＳの第２のセットに基づいて、時間追跡を実行し得る。
【０１５９】
一態様では、送信は装置２１０２用であり得、ＵＥ−ＲＳの第１のセットは装置２１０２用であり得、ＵＥ−ＲＳの第２のセットは別のＵＥ用であるかまたは他のいかなるＵＥ用でもないことがある。したがって、ＵＥ−ＲＳの第１のセットとＵＥ−ＲＳの第２のセットとは異なるプリコーディングを有し得る。代替として、ＵＥ−ＲＳの第１のセットとＵＥ−ＲＳの第２のセットとは同じプリコーディングを有し得る。
【０１６０】
さらなる態様では、受信モジュール２１０４は、少なくとも１つのリソースブロックの各リソースブロック中に第１の数のチャネル状態情報基準信号（ＣＳＩ−ＲＳ）ポートがある、少なくとも１つのリソースブロックを受信するための構成を受信し得る。したがって、リソースブロック処理モジュール２１０６は、送信中の少なくとも１つのリソースブロックを（受信モジュール２１０４を介して）受信し得る。ポート処理モジュール２１１２は、少なくとも１つのリソースブロックのリソースブロックが、第１の数のＣＳＩ−ＲＳポートよりも多い第２の数のＣＳＩ−ＲＳポートを含むと仮定し得る。特に、ポート処理モジュール２１１２は、少なくとも１つのリソースブロックがしきい値数よりも少ないリソースブロックを備え、ＣＳＩ−ＲＳポートの第１の数がＣＳＩ−ＲＳポートのしきい値数よりも少ないとき、リソースブロックが第２の数のＣＳＩ−ＲＳポートを備えると仮定し得る。
【０１６１】
ポート処理モジュール２１１２はまた、第２の数のＣＳＩ−ＲＳポートが、少なくとも、第１のｅＮＢ（たとえば、ｅＮＢ２１５０）によって送信されたＣＳＩ−ＲＳポートの第１のセットと、第２のｅＮＢによって送信されたＣＳＩ−ＲＳポートの第２のセットとを備えるかどうかを判断する。ポート処理モジュール２１１２によって判断された否定の結果に基づいて、チャネル／タイミング推定モジュール２１１０は、仮定された第２の数のＣＳＩ−ＲＳポートに対応するリソース要素中の信号に基づいて時間追跡を実行する。しかしながら、ポート処理モジュール２１１２によって判断された肯定の結果に基づいて、近接情報モジュール２１１４はサービングｅＮＢ（たとえば、ｅＮＢ２１５０）から近接情報を受信する。近接情報は、第１のｅＮＢおよび第２のｅＮＢの各々からの距離、第１のｅＮＢおよび第２のｅＮＢの各々からの伝搬時間、第１のｅＮＢからの距離と第２のｅＮＢからの距離との間の関係、または第１のｅＮＢからの伝搬時間と第２のｅＮＢからの伝搬時間との間の関係のうちの１つを示し得る。その後、チャネル／タイミング推定モジュール２１１０は、受信した近接情報にさらに基づいて時間追跡を実行する。
【０１６２】
別の態様では、基準信号処理モジュール２１０８は、少なくとも１つのリソースブロック中のユーザ機器固有基準信号（ＵＥ−ＲＳ）とチャネル状態情報基準信号（ＣＳＩ−ＲＳ）とを（受信モジュール２１０４を介して）受信する。その後、チャネル／タイミング推定モジュール２１１０は、受信したＵＥ−ＲＳとＣＳＩ−ＲＳとに基づいて時間追跡を実行し得る。
【０１６３】
さらなる態様では、受信モジュール２１０４は、多地点協調（ＣｏＭＰ）送信をサポートする送信モードを使用して送信を受信するための構成を受信し得る。リソースブロック処理モジュール２１０６は、送信中の少なくとも１つのリソースブロックを（受信モジュール２１０４を介して）受信する。少なくとも１つのリソースブロックは、装置２１０２に固有の、基準信号（ＲＳ）の第１のセットを含み得る。
【０１６４】
基準信号処理モジュール２１０８は、装置２１０２に固有の、ＲＳの第２のセットが送信中で利用可能であるかどうかを判断する。判断動作は、基準信号処理モジュール２１０８が、ＲＳの第２のセットの利用可能性を判断するためにブラインド検出を実行することを含み得る。代替として、判断動作は、基準信号処理モジュール２１０８が、発展型ノードＢ（ｅＮＢ）２１５０から、ＲＳの第２のセットが利用可能であるか否かを示す情報を受信することを含み得る。
【０１６５】
近接情報モジュール２１１４は、ｅＮＢ２１５０から近接情報を受信し得る。近接情報は、ＲＳの第１のセットとＲＳの第２のセットとの伝搬時間差を含み得る。チャネル／タイミング推定モジュール２１１０は、ＲＳの第１のセットに基づいて、およびＲＳの第２のセットが利用可能であると判断された場合、ＲＳの第２のセットにさらに基づいて、受信した少なくとも１つのリソースブロックを処理する。処理は、チャネル推定および／またはタイミング推定を実行することを含み得る。
【０１６６】
一態様では、ＲＳの第１のセットとＲＳの第２のセットとは復調のためのＵＥ固有ＲＳ（ＵＥ−ＲＳ）である。ＵＥ−ＲＳの第１のセットとＵＥ−ＲＳの第２のセットとは異なるプリコーディングまたは同じプリコーディングを有し得る。ＵＥ−ＲＳの第２のセットが少なくとも１つのリソースブロック内に含まれているとき、ＵＥ−ＲＳの第２のセットの利用可能性が判断され得る。代替として、ＵＥ−ＲＳの第２のセットを備えるリソースブロックが少なくとも１つのリソースブロックと同じプリコーディングリソースブロックグループ（ＰＲＧ）に関連するとき、ＵＥ−ＲＳの第２のセットの利用可能性が判断され得る。別の態様では、送信は装置２１０２用であり得、ＵＥ−ＲＳの第１のセットは装置２１０２用であり得、ＵＥ−ＲＳの第２のセットは別のＵＥ用であるかまたは他のいかなるＵＥ用でもないことがある。
【０１６７】
さらなる態様では、ＲＳの第１のセットとＲＳの第２のセットとはチャネル状態情報基準信号（ＣＳＩ−ＲＳ）である。ＣＳＩ−ＲＳの第１のセットとＣＳＩ−ＲＳの第２のセットとは異なるリソースに関連し得る。代替として、ＣＳＩ−ＲＳの第１のセットとＣＳＩ−ＲＳの第２のセットとは、同じリソースのセットに関連し得るが、異なるアンテナポートに関連し得る。その上、送信されたリソースブロック中のＣＳＩ−ＲＳポートの第１のセットとＣＳＩ−ＲＳポートの第２のセットとに同じプリコーディングが適用され得る。
【０１６８】
また別の態様では、ＲＳの第１のセットは復調のためのＵＥ固有ＲＳ（ＵＥ−ＲＳ）を含み得、ＲＳの第２のセットはチャネル状態情報基準信号（ＣＳＩ−ＲＳ）を含み得る。
【０１６９】
本装置は、図１２、図１３、図１５、図１７、および図１８の上述のフローチャート中のアルゴリズムのステップの各々を実行する追加のモジュールを含み得る。したがって、図１２、図１３、図１５、図１７、および図２８の上述のフローチャート中の各ステップは１つのモジュールによって実行され得、本装置は、それらのモジュールのうちの１つまたは複数を含み得る。それらのモジュールは、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【０１７０】
図２２は、処理システム２２１４を採用する装置２００２’のためのハードウェア実装形態の一例を示す図２２００である。処理システム２２１４は、バス２２２４によって概略的に表されるバスアーキテクチャを用いて実装され得る。バス２２２４は、処理システム２２１４の特定の適用例および全体的な設計制約に応じて、任意の数の相互接続バスおよびブリッジを含み得る。バス２２２４は、プロセッサ２２０４によって表される１つまたは複数のプロセッサおよび／またはハードウェアモジュールと、モジュール２００４、２００６、２００８、２０１０、２０１２、２０１４、２０１６、２０１８、２０２０と、コンピュータ可読媒体２２０６とを含む様々な回路を互いにリンクする。バス２２２４はまた、タイミングソース、周辺機器、電圧調整器、および電力管理回路など、様々な他の回路をリンクし得るが、これらの回路は当技術分野においてよく知られており、したがって、これ以上説明しない。
【０１７１】
処理システム２２１４はトランシーバ２２１０に結合され得る。トランシーバ２２１０は、１つまたは複数のアンテナ２２２０に結合される。トランシーバ２２１０は、伝送媒体を介して様々な他の装置と通信するための手段を与える。トランシーバ２２１０は、１つまたは複数のアンテナ２２２０から信号を受信し、受信した信号から情報を抽出し、抽出された情報を処理システム２２１４、特に受信モジュール２００４に与える。さらに、トランシーバ２２１０は、処理システム２２１４、特に送信モジュール２０２０から情報を受信し、受信した情報に基づいて、１つまたは複数のアンテナ２２２０に適用されるべき信号を生成する。処理システム２２１４は、コンピュータ可読媒体２２０６に結合されたプロセッサ２２０４を含む。プロセッサ２２０４は、コンピュータ可読媒体２２０６に記憶されたソフトウェアの実行を含む一般的な処理を担当する。ソフトウェアは、プロセッサ２２０４によって実行されたとき、処理システム２２１４に、特定の装置のための上記で説明した様々な機能を実行させる。コンピュータ可読媒体２２０６はまた、ソフトウェアを実行するときにプロセッサ２２０４によって操作されるデータを記憶するために使用され得る。処理システムは、モジュール２００４、２００６、２００８、２０１０、２０１２、２０１４、２０１６、２０１８、および２０２０のうちの少なくとも１つをさらに含む。それらのモジュールは、プロセッサ２２０４中で動作するか、コンピュータ可読媒体２２０６中に常駐する／記憶されたソフトウェアモジュールであるか、プロセッサ２２０４に結合された１つまたは複数のハードウェアモジュールであるか、またはそれらの何らかの組合せであり得る。処理システム２２１４は、ｅＮＢ６１０の構成要素であり得、メモリ６７６、および／またはＴＸプロセッサ６１６と、ＲＸプロセッサ６７０と、コントローラ／プロセッサ６７５とのうちの少なくとも１つを含み得る。
【０１７２】
一構成では、ワイヤレス通信のための装置２００２／２００２’は、ダウンリンク割当てにおいてユーザ機器（ＵＥ）に割り振られ得るリソースブロックの数をＮよりも大きいかまたはそれに等しくなるように制限するための手段であって、Ｎが１よりも大きい、制限するための手段と、ダウンリンク割当てに対応するダウンリンク送信をＵＥに送信するための手段と、ダウンリンク送信のための変調次数を判断するための手段であって、制限するための手段が、判断された変調次数に基づいてリソースブロックの数を制限する、判断するための手段と、ランク１送信またはランク２送信のうちの１つを受信するようにユーザ機器（ＵＥ）を構成するための手段と、ＵＥにリソースブロックを送信するための手段であって、リソースブロックがユーザ機器固有基準信号（ＵＥ−ＲＳ）の第１のセットとＵＥ−ＲＳの第２のセットとを備え、ＵＥ−ＲＳの第１のセットとＵＥ−ＲＳの第２のセットとのうちの一方がＵＥ用であり、ＵＥ−ＲＳの第１のセットとＵＥ−ＲＳの第２のセットとのうちの他方が別のＵＥ用であるかまたは他のいかなるＵＥ用でもない、送信するための手段と、ＵＥ−ＲＳの第１のセットとＵＥ−ＲＳの第２のセットとのために同じプリコーディングを使用するための手段と、ＵＥ−ＲＳの第１のセットとＵＥ−ＲＳの第２のセットとのために異なるプリコーディングを使用するための手段であって、ＵＥ−ＲＳの第１のセットとＵＥ−ＲＳの第２のセットとのうちの前記他方が前記別のＵＥ用である、使用するための手段と、４つのアンテナポートを用いてリソースブロックを送信することを判断するための手段と、アンテナポート７、８、１１、および１３を備えるように４つのアンテナポートを選択するための手段であって、アンテナポート７、８、１１、および１３が、ＵＥ−ＲＳの第１のセットへのＵＥ−ＲＳのマッピングを与え、ＵＥ−ＲＳの第１のセットがＵＥ用であり、ＵＥ−ＲＳの第２のセットが他のいかなるＵＥ用でもない、選択するための手段と、ＵＥがＵＥ−ＲＳの第１のセットとＵＥ−ＲＳの第２のセットの両方に基づいて時間追跡を実行することを可能にするために、リソースブロック中にＵＥ−ＲＳの第２のセットを含めるための手段と、アンテナポート９、１０、１２、および１４を備えるように４つのアンテナポートを選択するための手段であって、アンテナポート９、１０、１２、および１４が、ＵＥ−ＲＳの第２のセットへのＵＥ−ＲＳのマッピングを与え、ＵＥ−ＲＳの第２のセットがＵＥ用であり、ＵＥ−ＲＳの第１のセットが他のいかなるＵＥ用でもない、選択するための手段と、ＵＥがＵＥ−ＲＳの第１のセットとＵＥ−ＲＳの第２のセットの両方に基づいて時間追跡を実行することを可能にするために、リソースブロック中にＵＥ−ＲＳの第１のセットを含めるための手段と、第１の数のチャネル状態情報基準信号（ＣＳＩ−ＲＳ）ポートを受信するようにユーザ機器（ＵＥ）を構成するための手段と、第１の数のＣＳＩ−ＲＳポートよりも多い第２の数のＣＳＩ−ＲＳポートを備えるリソースブロックをＵＥに送信するための手段であって、第２の数のＣＳＩ−ＲＳポートがＵＥによる改善された時間追跡を可能にする、送信するための手段と、ＵＥに近接情報を送信するための手段であって、近接情報が、ＵＥとｅＮＢとの間の距離およびＵＥと第２のｅＮＢとの間の距離、ｅＮＢからＵＥへの伝搬時間および第２のｅＮＢからＵＥへの伝搬時間、ｅＮＢからの距離と第２のｅＮＢからの距離との間の関係、またはｅＮＢからの伝搬時間と第２のｅＮＢからの伝搬時間との間の関係のうちの１つを備える、送信するための手段と、第１の構成のみに対応するＣＳＩ−ＲＳポートを備える第２のリソースブロックを送信するための手段であって、第１の数のＣＳＩ−ＲＳポートが第１の構成に対応し、第１の数のＣＳＩ−ＲＳポートと比較した第２の数のＣＳＩ−ＲＳポート中の追加のＣＳＩ−ＲＳポートが第２の構成に対応する、送信するための手段と、送信を受信するようにユーザ機器（ＵＥ）を構成するための手段と、送信中でＵＥに少なくとも１つのリソースブロックを送信するための手段であって、少なくとも１つのリソースブロックが、ＵＥに固有の、基準信号（ＲＳ）の第１のセットを備える、送信するための手段と、送信中にＲＳの第２のセットを与えるための手段と、ＲＳの第２のセットがＵＥにとって利用可能であるか否かを示す情報をＵＥに送信するための手段と、ＵＥに近接情報を送信するための手段であって、近接情報がＲＳの前記第１のセットとＲＳの前記第２のセットとの伝搬時間差を備える、送信するための手段と、多地点協調（ＣｏＭＰ）送信をサポートする送信モードを使用して送信を受信するための構成をＵＥに送信するための手段とを含む。
【０１７３】
上述の手段は、上述の手段によって具陳した機能を実行するように構成された、装置２００２および／または装置２００２’の処理システム２２１４の上述のモジュールのうちの１つまたは複数であり得る。上記で説明したように、処理システム２２１４は、ＴＸプロセッサ６１６と、ＲＸプロセッサ６７０と、コントローラ／プロセッサ６７５とを含み得る。したがって、一構成では、上述の手段は、上述の手段によって具陳した機能を実行するように構成されたＴＸプロセッサ６１６と、ＲＸプロセッサ６７０と、コントローラ／プロセッサ６７５とであり得る。
【０１７４】
図２３は、処理システム２３１４を採用する装置２１０２’のためのハードウェア実装形態の一例を示す図２３００である。処理システム２３１４は、バス２３２４によって概略的に表されるバスアーキテクチャを用いて実装され得る。バス２３２４は、処理システム２３１４の特定の適用例および全体的な設計制約に応じて、任意の数の相互接続バスおよびブリッジを含み得る。バス２３２４は、プロセッサ２３０４によって表される１つまたは複数のプロセッサおよび／またはハードウェアモジュールと、モジュール２１０４、２１０６、２１０８、２１１０、２１１２、２１１４、２１１６と、コンピュータ可読媒体２３０６とを含む様々な回路を互いにリンクする。バス２３２４はまた、タイミングソース、周辺機器、電圧調整器、および電力管理回路など、様々な他の回路をリンクし得るが、これらの回路は当技術分野においてよく知られており、したがって、これ以上説明しない。
【０１７５】
処理システム２３１４はトランシーバ２３１０に結合され得る。トランシーバ２３１０は、１つまたは複数のアンテナ２３２０に結合される。トランシーバ２３１０は、伝送媒体を介して様々な他の装置と通信するための手段を与える。トランシーバ２３１０は、１つまたは複数のアンテナ２３２０から信号を受信し、受信した信号から情報を抽出し、抽出された情報を処理システム２３１４、特に受信モジュール２１０４に与える。さらに、トランシーバ２３１０は、処理システム２３１４、特に送信モジュール２１１６から情報を受信し、受信した情報に基づいて、１つまたは複数のアンテナ２３２０に適用されるべき信号を生成する。処理システム２３１４は、コンピュータ可読媒体２３０６に結合されたプロセッサ２３０４を含む。プロセッサ２３０４は、コンピュータ可読媒体２３０６に記憶されたソフトウェアの実行を含む一般的な処理を担当する。ソフトウェアは、プロセッサ２３０４によって実行されたとき、処理システム２３１４に、特定の装置のための上記で説明した様々な機能を実行させる。コンピュータ可読媒体２３０６はまた、ソフトウェアを実行するときにプロセッサ２３０４によって操作されるデータを記憶するために使用され得る。処理システムは、モジュール２１０４、２１０６、２１０８、２１１０、２１１２、２１１４、および２１１６のうちの少なくとも１つをさらに含む。それらのモジュールは、プロセッサ２３０４中で動作するか、コンピュータ可読媒体２３０６中に常駐する／記憶されたソフトウェアモジュールであるか、プロセッサ２３０４に結合された１つまたは複数のハードウェアモジュールであるか、またはそれらの何らかの組合せであり得る。処理システム２３１４は、ＵＥ６５０の構成要素であり得、メモリ６６０、および／またはＴＸプロセッサ６６８と、ＲＸプロセッサ６５６と、コントローラ／プロセッサ６５９とのうちの少なくとも１つを含み得る。
【０１７６】
一構成では、ワイヤレス通信のための装置２１０２／２１０２’は、送信中の複数のリソースブロックを受信するための手段であって、複数のリソースブロックがプリコーディングリソースブロックグループ（ＰＲＧ）を備える、受信するための手段と、ＰＲＧ中のリソースブロックの送信のための仮定された同じプリコーディングに基づいてユーザ機器固有基準信号（ＵＥ−ＲＳ）を復号するための手段と、ＰＲＧ中の復号されたＵＥ−ＲＳに基づいて時間追跡を実行するための手段と、多地点協調（ＣｏＭＰ）送信をサポートする送信モードを使用して送信を受信するための構成を受信するための手段と、送信中の少なくとも１つのリソースブロックを受信するための手段であって、前記少なくとも１つのリソースブロックの各々がユーザ機器固有基準信号（ＵＥ−ＲＳ）の第１のセットを備える、受信するための手段と、少なくとも１つのリソースブロックのリソースブロックがＵＥ−ＲＳの第２のセットを備えるかどうかを判断するための手段と、ＵＥ−ＲＳの第１のセットに基づいて、およびリソースブロックがＵＥ−ＲＳの第２のセットを備えると判断されたとき、ＵＥ−ＲＳの第２のセットに基づいて、時間追跡を実行するための手段と、少なくとも１つのリソースブロックの各リソースブロック中に第１の数のチャネル状態情報基準信号（ＣＳＩ−ＲＳ）ポートがある、少なくとも１つのリソースブロックを受信するための構成を受信するための手段と、送信中の少なくとも１つのリソースブロックを受信するための手段と、少なくとも１つのリソースブロックのリソースブロックが、第１の数のＣＳＩ−ＲＳポートよりも多い第２の数のＣＳＩ−ＲＳポートを備えると仮定するための手段と、ＣＳＩ−ＲＳポートの仮定された第２の数に対応するリソース要素中の信号に基づいて時間追跡を実行するための手段であって、第２の数のＣＳＩ−ＲＳポートが、少なくとも、第１の発展型ノードＢ（ｅＮＢ）によって送信されたＣＳＩ−ＲＳポートの第１のセットと、第２のｅＮＢによって送信されたＣＳＩ−ＲＳポートの第２のセットとを備える、実行するための手段と、第１のｅＮＢおよび第２のｅＮＢの各々からの距離、第１のｅＮＢおよび第２のｅＮＢの各々からの伝搬時間、第１のｅＮＢからの距離と第２のｅＮＢからの距離との間の関係、または第１のｅＮＢからの伝搬時間と第２のｅＮＢからの伝搬時間との間の関係のうちの１つを示す近接情報をサービングｅＮＢから受信するための手段であって、時間追跡が、受信した近接情報にさらに基づいて実行される、受信するための手段と、少なくとも１つのリソースブロック中のユーザ機器固有基準信号（ＵＥ−ＲＳ）とチャネル状態情報基準信号（ＣＳＩ−ＲＳ）とを受信するための手段と、受信したＵＥ−ＲＳとＣＳＩ−ＲＳとに基づいて時間追跡を実行するための手段と、送信中の少なくとも１つのリソースブロックを受信するための手段であって、少なくとも１つのリソースブロックが、ＵＥに固有の、基準信号（ＲＳ）の第１のセットを備える、受信するための手段と、ＵＥに固有の、ＲＳの第２のセットが送信中で利用可能であるかどうかを判断するための手段と、ＲＳの第１のセットに基づいて、および利用可能と判断された場合、ＲＳの第２のセットにさらに基づいて、受信した少なくとも１つのリソースブロックを処理するための手段と、発展型ノードＢ（ｅＮＢ）から近接情報を受信するための手段であって、近接情報がＲＳの第１のセットとＲＳの第２のセットとの伝搬時間差を備える、受信するための手段と、多地点協調（ＣｏＭＰ）送信をサポートする送信モードを使用して送信を受信するための構成を受信するための手段とを含む。
【０１７７】
上述の手段は、上述の手段によって具陳した機能を実行するように構成された、装置２１０２および／または装置２１０２’の処理システム２３１４の上述のモジュールのうちの１つまたは複数であり得る。上記で説明したように、処理システム２３１４は、ＴＸプロセッサ６６８と、ＲＸプロセッサ６５６と、コントローラ／プロセッサ６５９とを含み得る。したがって、一構成では、上述の手段は、上述の手段によって具陳した機能を実行するように構成されたＴＸプロセッサ６６８と、ＲＸプロセッサ６５６と、コントローラ／プロセッサ６５９とであり得る。
【０１７８】
開示したプロセス中のステップの特定の順序または階層は、例示的な手法の一例であることを理解されたい。設計上の選好に基づいて、プロセス中のステップの特定の順序または階層は再構成され得ることを理解されたい。さらに、いくつかのステップは組み合わせられるかまたは省略され得る。添付の方法クレームは、様々なステップの要素を例示的な順序で提示したものであり、提示された特定の順序または階層に限定されるものではない。
【０１７９】
以上の説明は、本明細書で説明した様々な態様を当業者が実施できるように与えたものである。これらの態様に対する様々な変更は当業者には容易に明らかであり、本明細書で定義した一般的原理は他の態様に適用され得る。したがって、特許請求の範囲は、本明細書で示した態様に限定されるものではなく、特許請求の範囲の言い回しに矛盾しない全範囲を与えられるべきであり、単数形の要素への言及は、そのように明記されていない限り、「唯一無二の」を意味するものではなく、「１つまたは複数の」を意味するものである。別段に明記されていない限り、「いくつかの」という語は「１つまたは複数の」を表す。当業者に知られている、または後に知られることになる、本開示全体にわたって説明した様々な態様の要素のすべての構造的および機能的等価物は、参照により本明細書に明確に組み込まれ、特許請求の範囲に包含されるものである。さらに、本明細書に開示したいかなることも、そのような開示が特許請求の範囲に明示的に具陳されているかどうかにかかわらず、公に供するものではない。いかなるクレーム要素も、その要素が「のための手段」という語句を使用して明確に具陳されていない限り、ミーンズプラスファンクションとして解釈されるべきではない。
以下に、本願出願の当初の特許請求の範囲に記載された発明を付記する。
［Ｃ１］
ユーザ機器（ＵＥ）のワイヤレス通信の方法であって、
送信中の少なくとも１つのリソースブロックを受信することであって、前記少なくとも１つのリソースブロックが、前記ＵＥに固有の、基準信号（ＲＳ）の第１のセットを備える、受信することと、
前記ＵＥに固有の、ＲＳの第２のセットが前記送信中で利用可能であるかどうかを判断することと、
ＲＳの前記第１のセットに基づいて、および利用可能と判断された場合、ＲＳの前記第２のセットにさらに基づいて、前記受信した少なくとも１つのリソースブロックを処理することと
を備える、方法。
［Ｃ２］
前記処理が、チャネル推定またはタイミング推定のうちの少なくとも１つを実行することを備える、Ｃ１に記載の方法。
［Ｃ３］
ＲＳの前記第１のセットとＲＳの前記第２のセットとが復調のためのＵＥ固有ＲＳ（ＵＥ−ＲＳ）である、Ｃ１に記載の方法。
［Ｃ４］
ＵＥ−ＲＳの前記第２のセットが前記少なくとも１つのリソースブロック内に含まれているとき、ＵＥ−ＲＳの前記第２のセットの利用可能性が判断される、Ｃ３に記載の方法。
［Ｃ５］
ＵＥ−ＲＳの前記第２のセットを備えるリソースブロックが前記少なくとも１つのリソースブロックと同じプリコーディングリソースブロックグループ（ＰＲＧ）に関連するとき、ＵＥ−ＲＳの前記第２のセットの前記利用可能性が判断される、Ｃ３に記載の方法。
［Ｃ６］
前記送信が前記ＵＥ用であり、ＵＥ−ＲＳの前記第１のセットが前記ＵＥ用であり、ＵＥ−ＲＳの前記第２のセットが別のＵＥ用であるかまたは他のいかなるＵＥ用でもない、Ｃ３に記載の方法。
［Ｃ７］
ＵＥ−ＲＳの前記第１のセットとＵＥ−ＲＳの前記第２のセットとが異なるプリコーディングを有する、Ｃ３に記載の方法。
［Ｃ８］
ＵＥ−ＲＳの前記第１のセットとＵＥ−ＲＳの前記第２のセットとが同じプリコーディングを有する、Ｃ３に記載の方法。
［Ｃ９］
ＲＳの前記第１のセットとＲＳの前記第２のセットとがチャネル状態情報基準信号（ＣＳＩ−ＲＳ）である、Ｃ１に記載の方法。
［Ｃ１０］
ＣＳＩ−ＲＳの前記第１のセットとＣＳＩ−ＲＳの前記第２のセットとが異なるリソースに関連する、Ｃ９に記載の方法。
［Ｃ１１］
ＣＳＩ−ＲＳの前記第１のセットとＣＳＩ−ＲＳの前記第２のセットとが、同じリソースのセットに関連するが、異なるアンテナポートに関連する、Ｃ９に記載の方法。
［Ｃ１２］
送信されたリソースブロック中のＣＳＩ−ＲＳポートの第１のセットとＣＳＩ−ＲＳポートの第２のセットとに同じプリコーディングが適用される、Ｃ９に記載の方法。
［Ｃ１３］
ＲＳの前記第１のセットが復調のためのＵＥ固有ＲＳ（ＵＥ−ＲＳ）を備え、ＲＳの前記第２のセットがチャネル状態情報基準信号（ＣＳＩ−ＲＳ）を備える、Ｃ１に記載の方法。
［Ｃ１４］
前記判断することが、ＲＳの前記第２のセットの前記利用可能性を判断するためにブラインド検出を実行することを備える、Ｃ１に記載の方法。
［Ｃ１５］
前記判断することは、発展型ノードＢ（ｅＮＢ）から、ＲＳの前記第２のセットが利用可能であるか否かを示す情報を受信することを備える、Ｃ１に記載の方法。
［Ｃ１６］
発展型ノードＢ（ｅＮＢ）から近接情報を受信することであって、前記近接情報がＲＳの前記第１のセットとＲＳの前記第２のセットとの伝搬時間差を備える、受信することをさらに備える、Ｃ１に記載の方法。
［Ｃ１７］
多地点協調（ＣｏＭＰ）送信をサポートする送信モードを使用して前記送信を受信するための構成を受信することをさらに備える、Ｃ１に記載の方法。
［Ｃ１８］
発展型ノードＢ（ｅＮＢ）のワイヤレス通信の方法であって、
送信を受信するようにユーザ機器（ＵＥ）を構成することと、
前記送信中で前記ＵＥに少なくとも１つのリソースブロックを送信することであって、前記少なくとも１つのリソースブロックが、前記ＵＥに固有の、基準信号（ＲＳ）の第１のセットを備える、送信することと、
前記送信中にＲＳの第２のセットを与えることとを備える、方法。
［Ｃ１９］
前記ＵＥが、ＲＳの前記第１のセットに基づいて、およびＲＳの前記第２のセットが前記ＵＥにとって利用可能である場合、ＲＳの前記第２のセットにさらに基づいて、チャネル推定またはタイミング推定のうちの少なくとも１つを実行する、Ｃ１８に記載の方法。
［Ｃ２０］
ＲＳの前記第１のセットとＲＳの前記第２のセットとが復調のためのＵＥ固有ＲＳ（ＵＥ−ＲＳ）である、Ｃ１９に記載の方法。
［Ｃ２１］
ＵＥ−ＲＳの前記第２のセットが前記少なくとも１つのリソースブロック内に含まれているとき、ＵＥ−ＲＳの前記第２のセットが前記ＵＥにとって利用可能である、Ｃ２０に記載の方法。
［Ｃ２２］
ＵＥ−ＲＳの前記第２のセットを備えるリソースブロックが前記少なくとも１つのリソースブロックと同じプリコーディングリソースブロックグループ（ＰＲＧ）に関連するとき、ＵＥ−ＲＳの前記第２のセットが前記ＵＥにとって利用可能である、Ｃ２０に記載の方法。
［Ｃ２３］
前記送信が前記ＵＥ用であり、ＵＥ−ＲＳの前記第１のセットが前記ＵＥ用であり、ＵＥ−ＲＳの前記第２のセットが別のＵＥ用であるかまたは他のいかなるＵＥ用でもない、Ｃ２０に記載の方法。
［Ｃ２４］
ＵＥ−ＲＳの前記第１のセットとＵＥ−ＲＳの前記第２のセットとが異なるプリコーディングを有する、Ｃ２０に記載の方法。
［Ｃ２５］
ＵＥ−ＲＳの前記第１のセットとＵＥ−ＲＳの前記第２のセットとが同じプリコーディングを有する、Ｃ２０に記載の方法。
［Ｃ２６］
ＲＳの前記第１のセットとＲＳの前記第２のセットとがチャネル状態情報基準信号（ＣＳＩ−ＲＳ）である、Ｃ１９に記載の方法。
［Ｃ２７］
ＣＳＩ−ＲＳの前記第１のセットとＣＳＩ−ＲＳの前記第２のセットとが異なるリソースに関連する、Ｃ２６に記載の方法。
［Ｃ２８］
ＣＳＩ−ＲＳの前記第１のセットとＣＳＩ−ＲＳの前記第２のセットとが、同じリソースのセットに関連するが、異なるアンテナポートに関連する、Ｃ２６に記載の方法。
［Ｃ２９］
送信されたリソースブロック中のＣＳＩ−ＲＳポートの第１のセットとＣＳＩ−ＲＳポートの第２のセットとに同じプリコーディングが適用される、Ｃ２６に記載の方法。
［Ｃ３０］
ＲＳの前記第１のセットが復調のためのＵＥ固有ＲＳ（ＵＥ−ＲＳ）を備え、ＲＳの前記第２のセットがチャネル状態情報基準信号（ＣＳＩ−ＲＳ）を備える、Ｃ１９に記載の方法。
［Ｃ３１］
ＲＳの前記第２のセットが前記ＵＥにとって利用可能であるか否かを示す情報を前記ＵＥに送信することをさらに備える、Ｃ１９に記載の方法。
［Ｃ３２］
前記ＵＥに近接情報を送信することであって、前記近接情報がＲＳの前記第１のセットとＲＳの前記第２のセットとの伝搬時間差を備える、送信することをさらに備える、Ｃ１８に記載の方法。
［Ｃ３３］
多地点協調（ＣｏＭＰ）送信をサポートする送信モードを使用して前記送信を受信するための構成を前記ＵＥに送信することをさらに備える、Ｃ１８に記載の方法。
［Ｃ３４］
送信中の少なくとも１つのリソースブロックを受信するための手段であって、前記少なくとも１つのリソースブロックが、前記ＵＥに固有の、基準信号（ＲＳ）の第１のセットを備える、受信するための手段と、
前記ＵＥに固有の、ＲＳの第２のセットが前記送信中で利用可能であるかどうかを判断するための手段と、
ＲＳの前記第１のセットに基づいて、および利用可能と判断された場合、ＲＳの前記第２のセットにさらに基づいて、前記受信した少なくとも１つのリソースブロックを処理するための手段と
を備える、ユーザ機器（ＵＥ）。
［Ｃ３５］
処理するための前記手段が、チャネル推定またはタイミング推定のうちの少なくとも１つを実行するように構成された、Ｃ３４に記載のＵＥ。
［Ｃ３６］
ＲＳの前記第１のセットとＲＳの前記第２のセットとが復調のためのＵＥ固有ＲＳ（ＵＥ−ＲＳ）である、Ｃ３４に記載のＵＥ。
［Ｃ３７］
ＵＥ−ＲＳの前記第２のセットが前記少なくとも１つのリソースブロック内に含まれているとき、ＵＥ−ＲＳの前記第２のセットの利用可能性が判断される、Ｃ３６に記載のＵＥ。
［Ｃ３８］
ＵＥ−ＲＳの前記第２のセットを備えるリソースブロックが前記少なくとも１つのリソースブロックと同じプリコーディングリソースブロックグループ（ＰＲＧ）に関連するとき、ＵＥ−ＲＳの前記第２のセットの前記利用可能性が判断される、Ｃ３６に記載のＵＥ。
［Ｃ３９］
前記送信が前記ＵＥ用であり、ＵＥ−ＲＳの前記第１のセットが前記ＵＥ用であり、ＵＥ−ＲＳの前記第２のセットが別のＵＥ用であるかまたは他のいかなるＵＥ用でもない、Ｃ３６に記載のＵＥ。
［Ｃ４０］
ＵＥ−ＲＳの前記第１のセットとＵＥ−ＲＳの前記第２のセットとが異なるプリコーディングを有する、Ｃ３６に記載のＵＥ。
［Ｃ４１］
ＵＥ−ＲＳの前記第１のセットとＵＥ−ＲＳの前記第２のセットとが同じプリコーディングを有する、Ｃ３６に記載のＵＥ。
［Ｃ４２］
ＲＳの前記第１のセットとＲＳの前記第２のセットとがチャネル状態情報基準信号（ＣＳＩ−ＲＳ）である、Ｃ３４に記載のＵＥ。
［Ｃ４３］
ＣＳＩ−ＲＳの前記第１のセットとＣＳＩ−ＲＳの前記第２のセットとが異なるリソースに関連する、Ｃ４２に記載のＵＥ。
［Ｃ４４］
ＣＳＩ−ＲＳの前記第１のセットとＣＳＩ−ＲＳの前記第２のセットとが、同じリソースのセットに関連するが、異なるアンテナポートに関連する、Ｃ４２に記載のＵＥ。
［Ｃ４５］
送信されたリソースブロック中のＣＳＩ−ＲＳポートの第１のセットとＣＳＩ−ＲＳポートの第２のセットとに同じプリコーディングが適用される、Ｃ４２に記載のＵＥ。
［Ｃ４６］
ＲＳの前記第１のセットが復調のためのＵＥ固有ＲＳ（ＵＥ−ＲＳ）を備え、ＲＳの前記第２のセットがチャネル状態情報基準信号（ＣＳＩ−ＲＳ）を備える、Ｃ３４に記載のＵＥ。
［Ｃ４７］
判断するための前記手段が、ＲＳの前記第２のセットの前記利用可能性を判断するためにブラインド検出を実行するように構成された、Ｃ３４に記載のＵＥ。
［Ｃ４８］
判断するための前記手段は、発展型ノードＢ（ｅＮＢ）から、ＲＳの前記第２のセットが利用可能であるか否かを示す情報を受信するように構成された、Ｃ３４に記載のＵＥ。
［Ｃ４９］
発展型ノードＢ（ｅＮＢ）から近接情報を受信するための手段であって、前記近接情報がＲＳの前記第１のセットとＲＳの前記第２のセットとの伝搬時間差を備える、受信するための手段をさらに備える、Ｃ３４に記載のＵＥ。
［Ｃ５０］
多地点協調（ＣｏＭＰ）送信をサポートする送信モードを使用して前記送信を受信するための構成を受信するための手段をさらに備える、Ｃ３４に記載のＵＥ。
［Ｃ５１］
送信を受信するようにユーザ機器（ＵＥ）を構成するための手段と、
前記送信中で前記ＵＥに少なくとも１つのリソースブロックを送信するための手段であって、前記少なくとも１つのリソースブロックが、前記ＵＥに固有の、基準信号（ＲＳ）の第１のセットを備える、送信するための手段と、
前記送信中にＲＳの第２のセットを与えるための手段と
を備える、発展型ノードＢ（ｅＮＢ）。
［Ｃ５２］
前記ＵＥが、ＲＳの前記第１のセットに基づいて、およびＲＳの前記第２のセットが前記ＵＥにとって利用可能である場合、ＲＳの前記第２のセットにさらに基づいて、チャネル推定またはタイミング推定のうちの少なくとも１つを実行する、Ｃ５１に記載のｅＮＢ。
［Ｃ５３］
ＲＳの前記第１のセットとＲＳの前記第２のセットとが復調のためのＵＥ固有ＲＳ（ＵＥ−ＲＳ）である、Ｃ５２に記載のｅＮＢ。
［Ｃ５４］
ＵＥ−ＲＳの前記第２のセットが前記少なくとも１つのリソースブロック内に含まれているとき、ＵＥ−ＲＳの前記第２のセットが前記ＵＥにとって利用可能である、Ｃ５３に記載のｅＮＢ。
［Ｃ５５］
ＵＥ−ＲＳの前記第２のセットを備えるリソースブロックが前記少なくとも１つのリソースブロックと同じプリコーディングリソースブロックグループ（ＰＲＧ）に関連するとき、ＵＥ−ＲＳの前記第２のセットが前記ＵＥにとって利用可能である、Ｃ５３に記載のｅＮＢ。
［Ｃ５６］
前記送信が前記ＵＥ用であり、ＵＥ−ＲＳの前記第１のセットが前記ＵＥ用であり、ＵＥ−ＲＳの前記第２のセットが別のＵＥ用であるかまたは他のいかなるＵＥ用でもない、Ｃ５３に記載のｅＮＢ。
［Ｃ５７］
ＵＥ−ＲＳの前記第１のセットとＵＥ−ＲＳの前記第２のセットとが異なるプリコーディングを有する、Ｃ５３に記載のｅＮＢ。
［Ｃ５８］
ＵＥ−ＲＳの前記第１のセットとＵＥ−ＲＳの前記第２のセットとが同じプリコーディングを有する、Ｃ５３に記載のｅＮＢ。
［Ｃ５９］
ＲＳの前記第１のセットとＲＳの前記第２のセットとがチャネル状態情報基準信号（ＣＳＩ−ＲＳ）である、Ｃ５２に記載のｅＮＢ。
［Ｃ６０］
ＣＳＩ−ＲＳの前記第１のセットとＣＳＩ−ＲＳの前記第２のセットとが異なるリソースに関連する、Ｃ５９に記載のｅＮＢ。
［Ｃ６１］
ＣＳＩ−ＲＳの前記第１のセットとＣＳＩ−ＲＳの前記第２のセットとが、同じリソースのセットに関連するが、異なるアンテナポートに関連する、Ｃ５９に記載のｅＮＢ。
［Ｃ６２］
送信されたリソースブロック中のＣＳＩ−ＲＳポートの第１のセットとＣＳＩ−ＲＳポートの第２のセットとに同じプリコーディングが適用される、Ｃ５９に記載のｅＮＢ。
［Ｃ６３］
ＲＳの前記第１のセットが復調のためのＵＥ固有ＲＳ（ＵＥ−ＲＳ）を備え、ＲＳの前記第２のセットがチャネル状態情報基準信号（ＣＳＩ−ＲＳ）を備える、Ｃ５２に記載のｅＮＢ。
［Ｃ６４］
ＲＳの前記第２のセットが前記ＵＥにとって利用可能であるか否かを示す情報を前記ＵＥに送信するための手段をさらに備える、Ｃ５２に記載のｅＮＢ。
［Ｃ６５］
前記ＵＥに近接情報を送信するための手段であって、前記近接情報がＲＳの前記第１のセットとＲＳの前記第２のセットとの伝搬時間差を備える、送信するための手段をさらに備える、Ｃ５１に記載のｅＮＢ。
［Ｃ６６］
多地点協調（ＣｏＭＰ）送信をサポートする送信モードを使用して前記送信を受信するための構成を前記ＵＥに送信するための手段をさらに備える、Ｃ５１に記載のｅＮＢ。
［Ｃ６７］
送信中の少なくとも１つのリソースブロックを受信することであって、前記少なくとも１つのリソースブロックが、前記ＵＥに固有の、基準信号（ＲＳ）の第１のセットを備える、受信することと、
前記ＵＥに固有の、ＲＳの第２のセットが前記送信中で利用可能であるかどうかを判断することと、
ＲＳの前記第１のセットに基づいて、および利用可能と判断された場合、ＲＳの前記第２のセットにさらに基づいて、前記受信した少なくとも１つのリソースブロックを処理することとを行うように構成された処理システムを備える、ユーザ機器（ＵＥ）。
［Ｃ６８］
処理するように構成された前記処理システムが、チャネル推定またはタイミング推定のうちの少なくとも１つを実行するようにさらに構成された、Ｃ６７に記載のＵＥ。
［Ｃ６９］
ＲＳの前記第１のセットとＲＳの前記第２のセットとが復調のためのＵＥ固有ＲＳ（ＵＥ−ＲＳ）である、Ｃ６７に記載のＵＥ。
［Ｃ７０］
ＵＥ−ＲＳの前記第２のセットが前記少なくとも１つのリソースブロック内に含まれているとき、ＵＥ−ＲＳの前記第２のセットの利用可能性が判断される、Ｃ６９に記載のＵＥ。
［Ｃ７１］
ＵＥ−ＲＳの前記第２のセットを備えるリソースブロックが前記少なくとも１つのリソースブロックと同じプリコーディングリソースブロックグループ（ＰＲＧ）に関連するとき、ＵＥ−ＲＳの前記第２のセットの前記利用可能性が判断される、Ｃ６９に記載のＵＥ。
［Ｃ７２］
前記送信が前記ＵＥ用であり、ＵＥ−ＲＳの前記第１のセットが前記ＵＥ用であり、ＵＥ−ＲＳの前記第２のセットが別のＵＥ用であるかまたは他のいかなるＵＥ用でもない、Ｃ６９に記載のＵＥ。
［Ｃ７３］
ＵＥ−ＲＳの前記第１のセットとＵＥ−ＲＳの前記第２のセットとが異なるプリコーディングを有する、Ｃ６９に記載のＵＥ。
［Ｃ７４］
ＵＥ−ＲＳの前記第１のセットとＵＥ−ＲＳの前記第２のセットとが同じプリコーディングを有する、Ｃ６９に記載のＵＥ。
［Ｃ７５］
ＲＳの前記第１のセットとＲＳの前記第２のセットとがチャネル状態情報基準信号（ＣＳＩ−ＲＳ）である、Ｃ６７に記載のＵＥ。
［Ｃ７６］
ＣＳＩ−ＲＳの前記第１のセットとＣＳＩ−ＲＳの前記第２のセットとが異なるリソースに関連する、Ｃ７５に記載のＵＥ。
［Ｃ７７］
ＣＳＩ−ＲＳの前記第１のセットとＣＳＩ−ＲＳの前記第２のセットとが、同じリソースのセットに関連するが、異なるアンテナポートに関連する、Ｃ７５に記載のＵＥ。
［Ｃ７８］
送信されたリソースブロック中のＣＳＩ−ＲＳポートの第１のセットとＣＳＩ−ＲＳポートの第２のセットとに同じプリコーディングが適用される、Ｃ７５に記載のＵＥ。
［Ｃ７９］
ＲＳの前記第１のセットが復調のためのＵＥ固有ＲＳ（ＵＥ−ＲＳ）を備え、ＲＳの前記第２のセットがチャネル状態情報基準信号（ＣＳＩ−ＲＳ）を備える、Ｃ６７に記載のＵＥ。
［Ｃ８０］
判断するように構成された前記処理システムが、ＲＳの前記第２のセットの前記利用可能性を判断するためにブラインド検出を実行するようにさらに構成された、Ｃ６７に記載のＵＥ。
［Ｃ８１］
判断するように構成された前記処理システムは、発展型ノードＢ（ｅＮＢ）から、ＲＳの前記第２のセットが利用可能であるか否かを示す情報を受信するようにさらに構成された、Ｃ６７に記載のＵＥ。
［Ｃ８２］
前記処理システムが、発展型ノードＢ（ｅＮＢ）から近接情報を受信するようにさらに構成され、前記近接情報がＲＳの前記第１のセットとＲＳの前記第２のセットとの伝搬時間差を備える、Ｃ６７に記載のＵＥ。
［Ｃ８３］
前記処理システムが、多地点協調（ＣｏＭＰ）送信をサポートする送信モードを使用して前記送信を受信するための構成を受信するようにさらに構成された、Ｃ６７に記載のＵＥ。
［Ｃ８４］
送信を受信するようにユーザ機器（ＵＥ）を構成することと、
前記送信中で前記ＵＥに少なくとも１つのリソースブロックを送信することであって、前記少なくとも１つのリソースブロックが、前記ＵＥに固有の、基準信号（ＲＳ）の第１のセットを備える、送信することと、
前記送信中にＲＳの第２のセットを与えることと
を行うように構成された処理システム
を備える、発展型ノードＢ（ｅＮＢ）。
［Ｃ８５］
前記ＵＥが、ＲＳの前記第１のセットに基づいて、およびＲＳの前記第２のセットが前記ＵＥにとって利用可能である場合、ＲＳの前記第２のセットにさらに基づいて、チャネル推定またはタイミング推定のうちの少なくとも１つを実行する、Ｃ８４に記載のｅＮＢ。
［Ｃ８６］
ＲＳの前記第１のセットとＲＳの前記第２のセットとが復調のためのＵＥ固有ＲＳ（ＵＥ−ＲＳ）である、Ｃ８５に記載のｅＮＢ。
［Ｃ８７］
ＵＥ−ＲＳの前記第２のセットが前記少なくとも１つのリソースブロック内に含まれているとき、ＵＥ−ＲＳの前記第２のセットが前記ＵＥにとって利用可能である、Ｃ８６に記載のｅＮＢ。
［Ｃ８８］
ＵＥ−ＲＳの前記第２のセットを備えるリソースブロックが前記少なくとも１つのリソースブロックと同じプリコーディングリソースブロックグループ（ＰＲＧ）に関連するとき、ＵＥ−ＲＳの前記第２のセットが前記ＵＥにとって利用可能である、Ｃ８６に記載のｅＮＢ。
［Ｃ８９］
前記送信が前記ＵＥ用であり、ＵＥ−ＲＳの前記第１のセットが前記ＵＥ用であり、ＵＥ−ＲＳの前記第２のセットが別のＵＥ用であるかまたは他のいかなるＵＥ用でもない、Ｃ８６に記載のｅＮＢ。
［Ｃ９０］
ＵＥ−ＲＳの前記第１のセットとＵＥ−ＲＳの前記第２のセットとが異なるプリコーディングを有する、Ｃ８６に記載のｅＮＢ。
［Ｃ９１］
ＵＥ−ＲＳの前記第１のセットとＵＥ−ＲＳの前記第２のセットとが同じプリコーディングを有する、Ｃ８６に記載のｅＮＢ。
［Ｃ９２］
ＲＳの前記第１のセットとＲＳの前記第２のセットとがチャネル状態情報基準信号（ＣＳＩ−ＲＳ）である、Ｃ８５に記載のｅＮＢ。
［Ｃ９３］
ＣＳＩ−ＲＳの前記第１のセットとＣＳＩ−ＲＳの前記第２のセットとが異なるリソースに関連する、Ｃ９２に記載のｅＮＢ。
［Ｃ９４］
ＣＳＩ−ＲＳの前記第１のセットとＣＳＩ−ＲＳの前記第２のセットとが、同じリソースのセットに関連するが、異なるアンテナポートに関連する、Ｃ９２に記載のｅＮＢ。
［Ｃ９５］
送信されたリソースブロック中のＣＳＩ−ＲＳポートの第１のセットとＣＳＩ−ＲＳポートの第２のセットとに同じプリコーディングが適用される、Ｃ９２に記載のｅＮＢ。
［Ｃ９６］
ＲＳの前記第１のセットが復調のためのＵＥ固有ＲＳ（ＵＥ−ＲＳ）を備え、ＲＳの前記第２のセットがチャネル状態情報基準信号（ＣＳＩ−ＲＳ）を備える、Ｃ８５に記載のｅＮＢ。
［Ｃ９７］
前記処理システムは、ＲＳの前記第２のセットが前記ＵＥにとって利用可能であるか否かを示す情報を前記ＵＥに送信するようにさらに構成された、Ｃ８５に記載のｅＮＢ。
［Ｃ９８］
前記処理システムが前記ＵＥに近接情報を送信するようにさらに構成され、前記近接情報がＲＳの前記第１のセットとＲＳの前記第２のセットとの伝搬時間差を備える、Ｃ８４に記載のｅＮＢ。
［Ｃ９９］
前記処理システムが、多地点協調（ＣｏＭＰ）送信をサポートする送信モードを使用して前記送信を受信するための構成を前記ＵＥに送信するようにさらに構成された、Ｃ８４に記載のｅＮＢ。
［Ｃ１００］
ユーザ機器（ＵＥ）のコンピュータプログラム製品であって、
送信中の少なくとも１つのリソースブロックを受信することであって、前記少なくとも１つのリソースブロックが、前記ＵＥに固有の、基準信号（ＲＳ）の第１のセットを備える、受信することと、
前記ＵＥに固有の、ＲＳの第２のセットが前記送信中で利用可能であるかどうかを判断することと、
ＲＳの前記第１のセットに基づいて、および利用可能と判断された場合、ＲＳの前記第２のセットにさらに基づいて、前記受信した少なくとも１つのリソースブロックを処理することと
を行うためのコードを備えるコンピュータ可読媒体
を備える、コンピュータプログラム製品。
［Ｃ１０１］
発展型ノードＢ（ｅＮＢ）のコンピュータプログラム製品であって、
送信を受信するようにユーザ機器（ＵＥ）を構成することと、
前記送信中で前記ＵＥに少なくとも１つのリソースブロックを送信することであって、前記少なくとも１つのリソースブロックが、前記ＵＥに固有の、基準信号（ＲＳ）の第１のセットを備える、送信することと、
前記送信中にＲＳの第２のセットを与えることと
を行うためのコードを備えるコンピュータ可読媒体
を備え、
前記ＵＥが、ＲＳの前記第１のセットに基づいて、およびＲＳの前記第２のセットが前記ＵＥにとって利用可能である場合、ＲＳの前記第２のセットにさらに基づいて、チャネル推定またはタイミング推定のうちの少なくとも１つを実行する、コンピュータプログラム製品。
【図１】
0006755788.tif 000011
【図２】
0006755788.tif 000012
【図３】
0006755788.tif 000013
【図４】
0006755788.tif 000014
【図５】
0006755788.tif 000015
【図６】
0006755788.tif 000016
【図７】
0006755788.tif 000017
【図８】
0006755788.tif 000018
【図９】
0006755788.tif 000019
【図１０】
0006755788.tif 000020
【図１１】
0006755788.tif 000021
【図１２】
0006755788.tif 000022
【図１３】
0006755788.tif 000023
【図１４】
0006755788.tif 000024
【図１５】
0006755788.tif 000025
【図１６】
0006755788.tif 000026
【図１７】
0006755788.tif 000027
【図１８】
0006755788.tif 000028
【図１９】
0006755788.tif 000029
【図２０】
0006755788.tif 000030
【図２１】
0006755788.tif 000031
【図２２】
0006755788.tif 000032
【図２３】
0006755788.tif 000033